(57)【特許請求の範囲】
【請求項１】
青色光を発光する青色発光素子と、前記青色発光素子からの青色光に励起されて緑色光を発光する緑色蛍光体と、前記青色発光素子からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有する光源を備える照明装置と、
青色を呈する青色着色部と、緑色を呈する緑色着色部と、赤色を呈する赤色着色部と、黄色を呈する黄色着色部と、を少なくとも備えてなるカラーフィルタであって、前記青色着色部及び前記赤色着色部が前記緑色着色部及び前記黄色着色部よりも相対的に大きな面積とされたカラーフィルタを有し、前記照明装置からの光を利用して表示を行う表示パネルと、を備え、
前記赤色蛍光体には、付活剤としてマンガンを用いたケイフッ化カリウムとされる複フッ化物蛍光体が含有されており、
前記青色着色部及び前記赤色着色部は、前記緑色着色部及び前記黄色着色部に対する面積比率が１．２〜１．４の範囲とされる表示装置。
【請求項２】
前記青色着色部及び前記赤色着色部は、面積が互いに等しくされるのに対し、前記緑色着色部及び前記黄色着色部は、面積が互いに等しくされている請求項１記載の表示装置。
【請求項３】
前記青色着色部及び前記赤色着色部は、前記緑色着色部及び前記黄色着色部に対する面積比率が１．２とされる請求項１または請求項２記載の表示装置。
【請求項４】
前記青色着色部及び前記赤色着色部は、前記緑色着色部及び前記黄色着色部に対する面積比率が１．４とされる請求項１または請求項２記載の表示装置。
【請求項５】
前記赤色着色部は、ピークの半値となる波長が５８０ｎｍ以上となる透過スペクトルを有している請求項１から請求項４のいずれか１項に記載の表示装置。
【請求項６】
前記緑色蛍光体は、ピーク波長が５２０ｎｍ〜５４０ｎｍの範囲となるピークを含む発光スペクトルを有する請求項１から請求項５のいずれか１項に記載の表示装置。
【請求項７】
前記緑色着色部は、ピーク波長が５１０ｎｍ〜５５０ｎｍの範囲となるピークを含み且つその半値幅が１１０ｎｍ未満とされる透過スペクトルを有している請求項６記載の表示装置。
【請求項８】
前記黄色着色部は、ピークの半値となる波長が４８０ｎｍ〜５８０ｎｍの範囲となる透過スペクトルを有している請求項６または請求項７記載の表示装置。
【請求項９】
前記緑色蛍光体には、サイアロン系蛍光体が含有されている請求項６から請求項８のいずれか１項に記載の表示装置。
【請求項１０】
前記青色発光素子は、ピーク波長が４３０ｎｍ〜４６０ｎｍの範囲となるピークを含む発光スペクトルを有している請求項１から請求項９のいずれか１項に記載の表示装置。
【請求項１１】
前記青色着色部は、ピーク波長が４４０ｎｍ〜４８０ｎｍの範囲となるピークを含み且つその半値幅が１２０ｎｍ未満とされる透過スペクトルを有している請求項１０記載の表示装置。
【請求項１２】
前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている請求項１から請求項１１のいずれか１項に記載の表示装置。
【請求項１３】
請求項１から請求項１２のいずれか１項に記載された表示装置と、テレビ信号を受信可能な受信部とを備えるテレビ受信装置。
【発明の詳細な説明】
【技術分野】
【０００１】
本発明は、表示装置及びテレビ受信装置に関する。
【背景技術】
【０００２】
液晶表示装置の主要部品である液晶パネルは、大まかには一対のガラス基板間に液晶を封止した構成とされ、両ガラス基板のうち、一方側がアクティブ素子であるＴＦＴなどが設けられたアレイ基板とされるのに対し、他方側がカラーフィルタなどが設けられたＣＦ基板とされる。このような液晶表示装置の一例として下記特許文献１に記載されたものが知られている。
この特許文献１には、ＣＦ基板に、赤色、緑色、青色、黄色の各色に対応した４色の着色部を、アレイ基板の各画素に対応して多数個並列してなるカラーフィルタが設けられるとともに、バックライト装置の光源として、ＹＡＧ系蛍光体を備えたＬＥＤが用いられたものが記載されている。
【先行技術文献】
【特許文献】
【０００３】
【特許文献１】特許第５４１６２７０号公報
【発明の概要】
【発明が解決しようとする課題】
【０００４】
上記した特許文献１は、ＬＥＤに備わる赤色蛍光体としてＹＡＧ系蛍光体を用いているが、このＹＡＧ系蛍光体では、赤色光の発光強度を十分確保できない可能性があり、赤色光の明るさが不足するおそれがある。また、そもそも赤色光及び青色光は、その波長が視感度のピークとなる波長である５５５ｎｍから遠いため、本来的に暗く見えがちな光でもある。そこで、青色着色部及び赤色着色部の面積比率を、緑色着色部及び黄色着色部の面積比率よりも大きくすることが考えられる。しかしながら、赤色の明度を十分に確保するには、青色着色部及び赤色着色部の面積比率を一定以上大きくしなければならず、そうするとその分だけ緑色着色部及び黄色着色部の面積比率が小さくなってしまう。すると、緑色着色部及び黄色着色部に係る画素内に容量配線などの配線を通すのが困難になり、仮にその配線を通すことができても画素面積に対する配線面積の比率が大きくなるために透過率が低下し、さらには画素面積が小さくなるのに伴って生じる光漏れ（コントラスト低下）が懸念されていた。
【０００５】
本発明は上記のような事情に基づいて完成されたものであって、青色着色部及び赤色着色部の面積比率を小さく保ちつつ、赤色光の明るさを十分に得ることを目的とする。
【課題を解決するための手段】
【０００６】
本発明の表示装置は、青色光を発光する青色発光素子と、前記青色発光素子からの青色光に励起されて緑色光を発光する緑色蛍光体と、前記青色発光素子からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有する光源を備える照明装置と、青色を呈する青色着色部と、緑色を呈する緑色着色部と、赤色を呈する赤色着色部と、黄色を呈する黄色着色部と、を少なくとも備えてなるカラーフィルタであって、前記青色着色部及び前記赤色着色部が前記緑色着色部及び前記黄色着色部よりも相対的に大きな面積とされたカラーフィルタを有し、前記照明装置からの光を利用して表示を行う表示パネルと、を備える。
【０００７】
このようにすれば、照明装置に備えられる光源から発せられた光が表示パネルに供給されると、その光が表示パネルに有されて少なくとも青色、緑色、赤色を呈する複数の着色部からなるカラーフィルタを透過して表示パネルから出射されることで、表示パネルに画像が表示される。ここで、照明装置に備えられる光源は、青色発光素子から発せられる青色光と、青色光に励起された緑色蛍光体から発せられる緑色光と、青色光に励起された赤色蛍光体から発せられる赤色光と、により全体として概ね白色となる光を発光するものとされる。
【０００８】
光源に有される赤色蛍光体は、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有しているから、赤色蛍光体から発せられる赤色光の色純度（彩度）が十分に高いものとされる。特に、赤色蛍光体の発光スペクトルのメインピークにおける半値幅が１０ｎｍ未満とされることで、それを超える大きさにした場合に比べると、高い色純度が得られている。しかも、赤色蛍光体の発光スペクトルのメインピークにおけるピーク波長が上記した数値範囲の下限値（６２９ｎｍ）以上とされることで、それよりも短波長側にした場合に比べると、色相が黄色寄りにずれることが避けられる。さらには、赤色蛍光体の発光スペクトルのメインピークにおけるピーク波長が上記した数値範囲の上限値（６３５ｎｍ）以下とされることで、それよりも長波長側にした場合に比べると、視感度のピークである５５５ｎｍにより近くなるので、赤色光の明るさが十分に得られる。そして、この赤色蛍光体から発せられる色純度の高い赤色光は、例えば同じ輝度で色純度の低い赤色光に比べると、ヘルムホルツ−コールラウシュ効果（Helmholtz-Kohlrausch phenomenon）によって、相対的に明るさが高いものとされる。従って、表示パネルのカラーフィルタにおける青色着色部及び赤色着色部を、緑色着色部及び黄色着色部に比べてそれほど大きな面積としなくても、ヘルムホルツ・コールラウシュ効果によって赤色光の明るさが十分に高いものとなる。特に、４Ｋ解像度などの超高精細画像の表示を行う場合には、表示画素の面積が小さくなって各色の着色部の面積も小さくなる傾向にあることから、高精細化により好適とされる。
【０００９】
本発明の実施態様として、次の構成が好ましい。
（１）前記赤色蛍光体には、複フッ化物蛍光体が含有されている。このようにすれば、発光スペクトルに含まれるメインピークの半値幅が十分に狭くなることで色純度の高い赤色光を発光することができる。従って、ヘルムホルツ・コールラウシュ効果によって赤色光の明るさが一層高いものとなる。また、緑色蛍光体から発せられる緑色光を吸収し難いものとされているので、緑色光の利用効率が高く保たれる。
【００１０】
（２）前記複フッ化物蛍光体は、付活剤としてマンガンを用いたケイフッ化カリウムとされる。このようにすれば、材料として高価な希土類元素を用いていないので、赤色蛍光体並びに光源に係る製造コストが安価なものとなる。
【００１１】
（３）前記青色着色部及び前記赤色着色部は、面積が互いに等しくされるのに対し、前記緑色着色部及び前記黄色着色部は、面積が互いに等しくされている。このようにすれば、各色の着色部に係る透過率を個別に制御する、いわゆるレンダリングを行うことで、表示パネルに表示される画像に係る解像度を高めることができる。
【００１２】
（４）前記青色着色部及び前記赤色着色部は、前記緑色着色部及び前記黄色着色部に対する面積比率が１．２とされる。このようにすれば、上記面積比率を、仮に１．２を超える数値とした場合（例えば１．４とした場合）に比べると、高精細化に一層好適とされる。また、上記面積比率を、仮に１．２を下回る数値とした場合に比べると、赤色光の明るさを十分に高いものとすることができる。
【００１３】
（５）前記青色着色部及び前記赤色着色部は、前記緑色着色部及び前記黄色着色部に対する面積比率が１．４とされる。このようにすれば、上記面積比率を仮に１．４を下回る数値とした場合（例えば１．２とした場合）に比べると、赤色光の明るさを一層高いものとすることができる。また、上記面積比率を仮に１．４を超える数値とした場合に比べると、高精細化により好適とされる。
【００１４】
（６）前記赤色着色部は、ピークの半値となる波長が５８０ｎｍ以上となる透過スペクトルを有している。このようにすれば、赤色着色部に係る透過スペクトルに、赤色蛍光体の発光スペクトルのメインピーク、第１サブピーク、及び第２サブピークがそれぞれ全域にわたって含まれているから、光源から発せられた高い色純度の赤色光が、赤色着色部を効率的に透過する。これにより、光源からの赤色光に係る利用効率をより高く保つことができるとともに、表示パネルの出射光に係る色度領域における赤色の色域が広くなって色再現性により優れる。
【００１５】
（７）前記緑色蛍光体は、ピーク波長が５２０ｎｍ〜５４０ｎｍの範囲となるピークを含む発光スペクトルを有する。このようにすれば、緑色蛍光体の発光スペクトルのピーク波長が上記した数値範囲の下限値（５２０ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。さらには、緑色蛍光体の発光スペクトルのピーク波長が上記した数値範囲の上限値（５４０ｎｍ）以下とされることで、それよりも長波長側にした場合に比べると、色相が黄色寄りにずれることが避けられる。
【００１６】
（８）前記緑色着色部は、ピーク波長が５１０ｎｍ〜５５０ｎｍの範囲となるピークを含み且つその半値幅が１１０ｎｍ未満とされる透過スペクトルを有している。このようにすれば、緑色着色部に係る透過スペクトルに、緑色蛍光体の発光スペクトルのピークが全域にわたって含まれているから、光源から発せられた高い色純度の緑色光が、緑色着色部を効率的に透過する。これにより、光源からの緑色光に係る利用効率をより高く保つことができるとともに、表示パネルの出射光に係る色度領域における緑色の色域が広くなって色再現性により優れる。
【００１７】
（９）前記黄色着色部は、ピークの半値となる波長が４８０ｎｍ〜５８０ｎｍの範囲となる透過スペクトルを有している。このようにすれば、黄色着色部に係る透過スペクトルに、緑色蛍光体の発光スペクトルのピークが全域にわたって含まれるとともに赤色蛍光体の発光スペクトルのメインピーク、第１サブピーク、及び第２サブピークがそれぞれ全域にわたって含まれているから、光源から発せられた高い色純度の緑色光と赤色光とが、黄色着色部を効率的に透過する。これにより、光源からの緑色光及び赤色光に係る利用効率をより高く保つことができるとともに、表示パネルの出射光に係る色度領域における黄色の色域が広くなって色再現性により優れる。
【００１８】
（１０）前記緑色蛍光体には、サイアロン系蛍光体が含有されている。サイアロン系蛍光体は、酸窒化物蛍光体であるから、例えば硫化物や酸化物からなる蛍光体を用いた場合に比べて、発光効率に優れるとともに耐久性に優れたものとなる。その上、サイアロン系蛍光体は、発光スペクトルに含まれるピークの半値幅が十分に狭くなっているので、色純度の高い緑色光を発光することができる。しかも、サイアロン系蛍光体は、発光スペクトルに含まれるピークのピーク波長及び半値幅に関して、多くの種類の材料が存在するので、その中から選択すれば、低コストでもって適切な発光スペクトルを有した緑色蛍光体を調達することができる。
【００１９】
（１１）前記青色発光素子は、ピーク波長が４３０ｎｍ〜４６０ｎｍの範囲となるピークを含む発光スペクトルを有している。このようにすれば、青色発光素子から発せられる青色光は、発光スペクトルのピークにおける半値幅が十分に狭くて色純度が高く且つ輝度が十分に高いものとされるから、緑色蛍光体及び赤色蛍光体を効率的に励起して緑色光及び赤色光を発光させることができるとともに、光源からの青色光に係る色純度が高いものとなる。
【００２０】
（１２）前記青色着色部は、ピーク波長が４４０ｎｍ〜４８０ｎｍの範囲となるピークを含み且つその半値幅が１２０ｎｍ未満とされる透過スペクトルを有している。このようにすれば、青色着色部に係る透過スペクトルに、青色発光素子の発光スペクトルのピークが全域にわたって含まれているから、光源から発せられた高い色純度の青色光が、青色着色部を効率的に透過する。これにより、光源からの青色光に係る利用効率をより高く保つことができるとともに、表示パネルの出射光に係る色度領域における青色の色域が広くなって色再現性により優れる。
【００２１】
（１３）前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている。このようにすれば、光源から発せられた光は、導光板の端面に有される光入射面に入射してから導光板内を伝播して拡散された後、導光板の板面に有される光出射面から面状の光として出射されて表示パネルへと照射される。このようなエッジライト型の照明装置によれば、直下型に比べると、複数の光源を使用する場合には光源の設置数を削減しつつ出射光に係る輝度均一性を十分に高くすることができる。
【００２２】
（１４）前記光源は、光を発する発光面を有するとともにその発光面が前記表示パネルの板面に対して対向する形となるよう配されている。このようにすれば、光源の発光面から発せられた光は、発光面に対して対向する形となるよう配される表示パネルの板面に向けて照射される。このような直下型の照明装置によれば、光源からの光がエッジライト型で用いられる導光板などの部材を介することなく、表示パネルに供給されるから、光の利用効率に一層優れる。
【００２３】
次に、上記課題を解決するために、本発明のテレビ受信装置は、上記記載の表示装置と、テレビ信号を受信可能な受信部とを備える。このようなテレビ受信装置によれば、高輝度で且つ色再現性に優れたテレビ画像を表示することができる。
【発明の効果】
【００２４】
本発明によれば、青色着色部及び赤色着色部の面積比率を小さく保ちつつ、赤色光の明るさを十分に得ることができる。
【図面の簡単な説明】
【００２５】
【図１】本発明の実施形態１に係るテレビ受信装置の概略構成を示す分解斜視図
【図２】テレビ受信装置が備える液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】液晶表示装置に備わるバックライト装置におけるシャーシと導光板とＬＥＤ基板との配置構成を示す平面図
【図７】図６のvii-vii線断面図
【図８】ＬＥＤ及びＬＥＤ基板の断面図
【図９】比較実験１の実施例１に係る液晶パネルの出射光の各色の透過スペクトルと、実施例１に係るＬＥＤにおける発光スペクトルと、を示すグラフ
【図１０】比較実験１の実施例１及び比較例１，２に係るカラーフィルタの各着色部の透過スペクトルを示すグラフ
【図１１】比較実験１の比較例１に係る液晶パネルの出射光の各色の透過スペクトルと、比較例１に係るＬＥＤにおける発光スペクトルと、を示すグラフ
【図１２】比較実験１の比較例２に係る液晶パネルの出射光の各色の透過スペクトルと、比較例２に係るＬＥＤにおける発光スペクトルと、を示すグラフ
【図１３】比較実験１の実施例１及び比較例１，２におけるＬＥＤ及びカラーフィルタの構成と、実験結果の一覧と、を示す表
【図１４】比較実験１の実施例１及び比較例１，２における色度領域及び各規格の色度領域（図１３の表における各色度座標）を示したＣＩＥ１９３１色度図
【図１５】比較実験１の実施例１及び比較例１，２における色度領域及び各規格の色度領域（図１３の表における各色度座標）を示したＣＩＥ１９７６色度図
【図１６】比較実験１の実施例１及び比較例１，２における輝度比及び「log(L)+f」比を示す表
【図１７】本発明の実施形態２に係る比較実験２の実施例２，３及び比較例３，４におけるＬＥＤ及びカラーフィルタの構成と、実験結果の一覧と、を示す表
【図１８】比較実験２の実施例４〜６におけるＬＥＤ及びカラーフィルタの構成と、実験結果の一覧と、を示す表
【図１９】比較実験２の実施例２〜６及び比較例３，４における色度領域及び各規格の色度領域（図１７及び図１８の表における各色度座標）を示したＣＩＥ１９３１色度図
【図２０】比較実験２の実施例２〜６及び比較例３，４における色度領域及び各規格の色度領域（図１７及び図１８の表における各色度座標）を示したＣＩＥ１９７６色度図
【図２１】比較実験２の実施例２，３及び比較例３，４における各輝度比及び各「log(L)+f」比を示す表
【図２２】比較実験２の実施例４〜６における各輝度比及び各「log(L)+f」比を示す表
【図２３】比較実験２の実施例２〜６及び比較例３，４におけるカラーフィルタの透過率比、比較例３を基準とした白色の出射光の輝度比、及びＬＥＤの輝度比を示すグラフ
【図２４】比較実験２の実施例２〜６及び比較例３，４における比較例３を基準とした白色以外の各色の出射光の輝度比を示すグラフ
【図２５】比較実験２の実施例２〜６及び比較例３，４における白色の出射光を基準とした各色の出射光の輝度比を示すグラフ
【図２６】比較実験２の実施例２〜６及び比較例３，４における白色の出射光を基準とした各色の出射光の「log(L)+f」比を示すグラフ
【図２７】比較実験２の実施例２〜６及び比較例３，４における比較例３を基準とした赤色の出射光の「log(L)+f」比を示すグラフ
【図２８】本発明の実施形態３に係る液晶表示装置の概略構成を示す分解斜視図
【図２９】バックライト装置の平面図
【図３０】液晶表示装置を長辺方向に沿って切断した断面構成を示す断面図
【図３１】液晶表示装置を短辺方向に沿って切断した断面構成を示す断面図
【図３２】本発明の実施形態４に係る液晶表示装置の概略構成を示す分解斜視図
【図３３】バックライト装置の平面図
【図３４】液晶表示装置を長辺方向に沿って切断した断面構成を示す断面図
【図３５】液晶表示装置を短辺方向に沿って切断した断面構成を示す断面図
【発明を実施するための形態】
【００２６】
＜実施形態１＞
本発明の実施形態１を図１から図１６によって説明する。本実施形態では、液晶表示装置１０について例示する。なお、各図面の一部にはＸ軸、Ｙ軸及びＺ軸を示しており、各軸方向が各図面で示した方向となるように描かれている。また、図３及び図７に示す上側を表側とし、同図下側を裏側とする。
【００２７】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、チューナー１０Ｔから出力されたテレビ映像信号を当該液晶表示装置１０用の映像信号に変換する映像変換回路基板１０ＶＣと、スタンド１０Ｓとを備えて構成される。このうち、映像変換回路基板１０ＶＣは、チューナー１０Ｔから出力されたテレビ映像信号を青色、緑色、赤色、黄色の各色の映像信号に変換し、生成された各色の映像信号を液晶パネル１１に接続されたコントロール基板（図示せず）に出力することができる。液晶表示装置（表示装置）１０は、全体として横長（長手）の方形状（矩形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２８】
先に、液晶パネル１１について説明する。液晶パネル１１は、図３に示すように、一対の透明な（透光性を有する）ガラス製の基板２０，２１間に、電界印加に伴って光学特性が変化する物質である液晶材料を含む液晶層２２を封入してなる。液晶パネル１１を構成する両基板２０，２１のうち裏側（バックライト装置１２側）に配されるものが、アレイ基板（ＴＦＴ基板、アクティブマトリクス基板）２０とされ、表側（光出射側）に配されるものが、ＣＦ基板（対向基板）２１とされている。アレイ基板２０及びＣＦ基板２１は、平面に視て横長の方形状をなしており、その長辺方向がＸ軸方向と、短辺方向がＹ軸方向とそれぞれ一致している。なお、両基板２０，２１の外面側には、表裏一対の偏光板２３がそれぞれ貼り付けられている。
【００２９】
アレイ基板２０における内面側（液晶層２２側、ＣＦ基板２１との対向面側）には、図４に示すように、３つの電極２４ａ〜２４ｃを有するスイッチング素子であるＴＦＴ（Thin Film Transistor）２４及び画素電極２５がアレイ基板２０の板面に沿って行列状（マトリクス状）に多数個ずつ並んで設けられるとともに、これらＴＦＴ２４及び画素電極２５の周りには、格子状をなすゲート配線２６及びソース配線２７が取り囲むようにして配設されている。画素電極２５は、ＩＴＯ（Indium Tin Oxide）などの透明導電膜からなる。ゲート配線２６及びソース配線２７は、共に金属膜からなる。ゲート配線２６とソース配線２７とがそれぞれＴＦＴ２４のゲート電極２４ａとソース電極２４ｂとに接続され、画素電極２５がドレイン配線（図示せず）を介してＴＦＴ２４のドレイン電極２４ｃに接続されている。アレイ基板２０には、ゲート配線２６に並行するとともに画素電極２５に対して平面に視て重畳する容量配線（補助容量配線、蓄積容量配線、Ｃｓ配線）３３が設けられている。容量配線３３は、Ｙ軸方向についてゲート配線２６と交互に配されている。ゲート配線２６がＹ軸方向に隣り合う画素電極２５の間に配されているのに対し、容量配線３３は、各画素電極２５におけるＹ軸方向のほぼ中央部を横切る位置に配されている。このアレイ基板２０の端部には、ゲート配線２６及び容量配線３３から引き回された端子部及びソース配線２７から引き回された端子部が設けられており、これらの各端子部には、図示しないコントロール基板から各信号または基準電位が入力されるようになっており、それにより行列状に並列配置された各ＴＦＴ２４の駆動が個別に制御される。また、アレイ基板２０の内面側には、液晶層２２に含まれる液晶分子を配向させるための配向膜２８が形成されている（図３）。
【００３０】
一方、ＣＦ基板２１における内面側（液晶層２２側、アレイ基板２０との対向面側）には、図３及び図５に示すように、アレイ基板２０側の各画素電極２５と平面に視て重畳する位置にカラーフィルタ２９がＣＦ基板２１の板面に沿って行列状に多数個ずつ並んで設けられている。カラーフィルタ２９は、光の３原色である赤色、緑色、青色をそれぞれ呈する各着色部２９Ｒ，２９Ｇ，２９Ｂに加えて、黄色を呈する黄色着色部２９Ｙを有するものとされる。カラーフィルタ２９は、これら４色の各着色部２９Ｒ，２９Ｇ，２９Ｂ，２９Ｙが行方向（Ｘ軸方向、液晶パネル１１の長辺方向）に沿って交互に繰り返し並ぶことで着色部群を構成し、その着色部群が列方向（Ｙ軸方向、液晶パネル１１の短辺方向）に沿って多数並ぶ配置とされる。カラーフィルタ２９を構成する各着色部２９Ｒ，２９Ｇ，２９Ｂ，２９Ｙは、後に詳しく説明するが、各色（各波長）の光を選択的に透過するものとされる。各着色部２９Ｒ，２９Ｇ，２９Ｂ，２９Ｙは、例えば、基材中に所定の顔料または染料を含有させて製造されており、それにより顔料または染料に応じた特定の色を呈するものとされる。また、各着色部２９Ｒ，２９Ｇ，２９Ｂ，２９Ｙの外形は、画素電極２５の外形に倣って平面に視て縦長の方形状をなしている。カラーフィルタ２９を構成する各着色部２９Ｒ，２９Ｇ，２９Ｂ，２９Ｙ間には、混色を防ぐための格子状をなす遮光部（ブラックマトリクス）３０が形成されている。遮光部３０は、アレイ基板２０側のゲート配線２６、ソース配線２７及び容量配線３３に対して平面視重畳する配置とされる。また、カラーフィルタ２９及び遮光部３０の表面には、図３に示すように、アレイ基板２０側の画素電極２５と対向する対向電極３１が設けられている。また、ＣＦ基板２１の内面側には、液晶層２２に含まれる液晶分子を配向させるための配向膜３２がそれぞれ形成されている。
【００３１】
当該液晶パネル１１においては、図３から図５に示すように、赤色、緑色、青色、及び黄色の４色の着色部２９Ｒ，２９Ｇ，２９Ｂ，２９Ｙ及びそれらに対向する４つの画素電極２５の組によって表示単位である１つの表示画素３４が構成されており、この表示画素３４は、両基板２０，２１の板面、つまり表示面（Ｘ軸方向及びＹ軸方向）に沿って多数ずつマトリクス状に並列配置されている。表示画素３４は、赤色着色部２９Ｒとそれに対向する画素電極２５との組からなる赤色画素３４Ｒと、緑色着色部２９Ｇとそれに対向する画素電極２５との組からなる緑色画素３４Ｇと、青色着色部２９Ｂとそれに対向する画素電極２５との組からなる青色画素３４Ｂと、黄色着色部２９Ｙとそれに対向する画素電極２５との組からなる黄色画素３４Ｙと、から構成される。つまり、１つの表示画素３４は、４つの各色の画素（サブピクセル）３４Ｒ，３４Ｇ，３４Ｂ，３４Ｙから構成されている。表示画素３４を構成する赤色画素３４Ｒ、緑色画素３４Ｇ、青色画素３４Ｂ、及び黄色画素３４Ｙは、行方向（Ｘ軸方向、液晶パネル１１の長辺方向）に沿って繰り返し並んで配されることで画素群を構成し、その画素群が列方向（Ｙ軸方向、液晶パネル１１の短辺方向）に沿って多数並んで配されている。このような構成の液晶パネル１１は、図示しないコントロール基板からの信号が入力されることで駆動されるのであるが、そのコントロール基板には、図１に示す映像変換回路基板１０ＶＣにおいてチューナー１０Ｔから出力されたテレビ映像信号が、青色、緑色、赤色、黄色の各色の映像信号に変換されて生成された各色の映像信号が入力されるようになっている。これにより、液晶パネル１１では、各画素３４Ｒ，３４Ｇ，３４Ｂ，３４Ｙが有する各ＴＦＴ２４の駆動が制御されることで、各ＴＦＴ２４に接続された各画素電極２５と対向電極３１との間に所定値の電圧が印加されると、その間に配された液晶層２２の配向状態が電圧に応じて変化し、もって各色の着色部２９Ｒ，２９Ｇ，２９Ｂ，２９Ｙを透過する透過光量が適宜に制御されるようになっている。そして、液晶パネル１１のカラーフィルタ２９が光の三原色である各着色部２９Ｒ，２９Ｇ，２９Ｂに加えて黄色着色部２９Ｙを有しているので、その透過光により表示される表示画像の色域が拡張されており、もって色再現性により優れた表示を実現できるものとされる。しかも、黄色着色部２９Ｙを透過した光は、視感度のピークに近い波長を有することから、人間の目には少ないエネルギーでも明るく知覚される傾向とされる。これにより、バックライト装置１２が有するＬＥＤ１７の出力を抑制しても十分な輝度を得ることができることとなり、ＬＥＤ１７の消費電力を低減でき、もって環境性能にも優れる、といった効果が得られる。
【００３２】
続いて、バックライト装置１２について詳しく説明する。バックライト装置１２は、図２に示すように、表側、つまり光出射側（液晶パネル１１側）に開口する光出射部１４ｃを有した略箱型をなすシャーシ１４と、シャーシ１４の光出射部１４ｃを覆う形で配される光学部材１５と、次述する導光板１９を表側から押さえるフレーム１６とを備えている。さらにはシャーシ１４内には、光源であるＬＥＤ（Light Emitting Diode：発光ダイオード）１７が実装されたＬＥＤ基板（光源基板）１８と、ＬＥＤ１７からの光を導光して光学部材１５（液晶パネル１１、光出射側）へと導く導光板１９とが収容されている。そして、このバックライト装置１２は、その長辺側の両端部に、ＬＥＤ１７を有するＬＥＤ基板１８が対をなす形で配されており、これら対をなすＬＥＤ基板１８によって導光板１９をその短辺方向（Ｙ軸方向、列方向）の両側方から挟み込んでいる。各ＬＥＤ基板１８に実装されたＬＥＤ１７は、液晶パネル１１における長辺側の各端部寄りに偏在するとともに、その端部に沿う方向、つまり長辺方向（Ｘ軸方向、行方向）に沿って複数ずつが間隔を空けて（間欠的に）並んで配されている。このように、本実施形態に係るバックライト装置１２は、いわゆるエッジライト型（サイドライト型）とされている。以下では、バックライト装置１２の各構成部品について詳しく説明する。
【００３３】
シャーシ１４は、例えばアルミニウム板や電気亜鉛めっき綱板（ＳＥＣＣ）などの金属板からなり、図２，図６及び図７に示すように、液晶パネル１１と同様に横長の方形状をなす底板１４ａと、底板１４ａにおける各辺（一対の長辺及び一対の短辺）の外端からそれぞれ表側に向けて立ち上がる側板１４ｂとからなる。シャーシ１４（底板１４ａ）は、その長辺方向がＸ軸方向と一致し、短辺方向がＹ軸方向と一致している。底板１４ａの裏側には、図示しないコントロール基板やＬＥＤ駆動回路基板などの基板類が取り付けられている。また、側板１４ｂには、フレーム１６及びベゼル１３がねじ止め可能とされる。
【００３４】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、互いに積層される複数枚（本実施形態では３枚）のシート状の部材からなるものとされる。具体的な光学部材（光学シート）１５の種類としては、例えば拡散シート、レンズシート、反射型偏光シートなどがあり、これらの中から適宜に選択して使用することが可能である。なお、図７では、都合上３枚の光学部材１５を１枚に簡略化して図示している。
【００３５】
フレーム１６は、図２に示すように、導光板１９の外周端部に沿って延在する枠状（額縁状）に形成されており、導光板１９の外周端部をほぼ全周にわたって表側から押さえることが可能とされる。このフレーム１６は、合成樹脂製とされるとともに、表面が例えば黒色を呈する形態とされることで、遮光性を有するものとされる。フレーム１６のうち両長辺部分における裏側の面、つまり導光板１９及びＬＥＤ基板１８（ＬＥＤ１７）との対向面には、図７に示すように、光を反射させるフレーム側反射シート１６Ｒがそれぞれ取り付けられている。フレーム側反射シート１６Ｒは、フレーム１６の長辺部分におけるほぼ全長にわたって延在する大きさを有しており、導光板１９におけるＬＥＤ１７と対向状をなす端部に直接当接されるとともに導光板１９の上記端部とＬＥＤ基板１８とを一括して表側から覆うものとされる。また、フレーム１６は、液晶パネル１１における外周端部を裏側から受けることができる。
【００３６】
ＬＥＤ１７は、図２及び図７に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、図８に示すように、発光源である青色ＬＥＤ素子（青色発光素子、青色ＬＥＤチップ）４０と、青色ＬＥＤ素子４０を封止する封止材（透光性樹脂材料）４１と、青色ＬＥＤ素子４０が収容されるとともに封止材４１が充填されるケース（収容体、筐体）４２とを備える。以下、図８を参照しつつＬＥＤ１７の構成部品について順次に詳しく説明する。
【００３７】
青色ＬＥＤ素子４０は、例えばＩｎＧａＮなどの半導体材料からなる半導体であり、順方向に電圧が印加されることで青色の波長領域（約４２０ｎｍ〜約５００ｎｍ）に含まれる波長の青色光を発光するものとされる。この青色ＬＥＤ素子４０は、図示しないリードフレームによってケース４２外に配されたＬＥＤ基板１８における配線パターンに接続される。封止材４１は、ＬＥＤ１７の製造工程では青色ＬＥＤ素子４０が収容されたケース４２の内部空間に充填されることで、青色ＬＥＤ素子４０及びリードフレームを封止するとともにこれらの保護を図るものとされる。封止材４１は、ほぼ透明な熱硬化性樹脂材料（例えば、エポキシ樹脂材料、シリコーン樹脂材料など）に、共に図示を省略する緑色蛍光体及び赤色蛍光体をそれぞれ所定の割合でもって分散配合した構成とされている。緑色蛍光体は、青色ＬＥＤ素子４０から発せられた青色光により励起されることで緑色の波長領域（約５００ｎｍ〜約５７０ｎｍ）に含まれる波長の緑色光を発光するものとされる。赤色蛍光体は、青色ＬＥＤ素子４０から発せられた青色光により励起されることで赤色の波長領域（約６００ｎｍ〜約７８０ｎｍ）に含まれる波長の赤色光を発光するものとされる。従って、ＬＥＤ１７の発光光は、青色ＬＥＤ素子４０から発せられる青色光（青色成分の光）と、緑色蛍光体から発せられる緑色光（緑色成分の光）と、赤色蛍光体から発せられる赤色光（赤色成分の光）と、から構成されていて、全体として概ね白色を呈するものとされる。つまり、このＬＥＤ１７は、白色発光するものとされる。なお、緑色蛍光体から発せられる緑色光と、赤色蛍光体から発せられる赤色光との合成により黄色光が得られることから、このＬＥＤ１７は、ＬＥＤチップからの青色成分の光と、黄色成分の光とを併せ持っている、とも言える。また、ＬＥＤ１７の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ１７の色度を調整することが可能とされている。なお、青色ＬＥＤ素子４０、緑色蛍光体、及び赤色蛍光体の各発光スペクトルの詳細などについては、後に詳しく説明する。
【００３８】
ケース４２は、表面が光の反射性に優れた白色を呈する合成樹脂材料（例えばポリアミド系樹脂材料）またはセラミック材料からなる。ケース４２は、全体として光出射側（発光面１７ａ側、ＬＥＤ基板１８側とは反対側）に開口部４２ｃを有する略箱型をなしており、大まかにはＬＥＤ基板１８の実装面に沿って延在する底壁部４２ａと、底壁部４２ａの外縁から立ち上がる側壁部４２ｂとを有している。このうち底壁部４２ａは、正面（光出射側）から視て方形状をなしているのに対し、側壁部４２ｂは、底壁部４２ａの外周縁に沿う略角筒状をなしていて正面から視ると方形の枠状をなしている。ケース４２を構成する底壁部４２ａの内面（底面）には、青色ＬＥＤ素子４０が配置されている。これに対して側壁部４２ｂには、リードフレームが貫通されている。リードフレームのうち、ケース４２内に配される端部が青色ＬＥＤ素子４０に接続されるのに対し、ケース４２外に導出される端部がＬＥＤ基板１８の配線パターンに接続される。
【００３９】
上記したＬＥＤ１７が複数実装されるＬＥＤ基板１８は、図２，図６及び図７に示すように、シャーシ１４の長辺方向（液晶パネル１１及び導光板１９におけるＬＥＤ１７側の端部、Ｘ軸方向）に沿って延在する、長手の板状をなしており、その板面をＸ軸方向及びＺ軸方向に並行させた姿勢、すなわち液晶パネル１１及び導光板１９（光学部材１５）の板面と直交させた姿勢でシャーシ１４内に収容されている。つまり、このＬＥＤ基板１８は、板面における長辺方向がＸ軸方向と、短辺方向がＺ軸方向とそれぞれ一致し、さらには板面と直交する板厚方向がＹ軸方向と一致した姿勢とされる。ＬＥＤ基板１８は、Ｙ軸方向について導光板１９を挟んだ位置に対をなす形で配されており、詳しくは導光板１９とシャーシ１４における長辺側の各側板１４ｂとの間に介在するようそれぞれ配され、シャーシ１４に対してはＺ軸方向に沿って表側から収容されるようになっている。各ＬＥＤ基板１８は、ＬＥＤ１７が実装される実装面１８ａとは反対側の板面がシャーシ１４における長辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸がＹ軸方向（液晶パネル１１の板面に並行する方向）とほぼ一致する。
【００４０】
ＬＥＤ基板１８の板面のうち、内側を向いた板面は、図２，図６及び図７に示すように、導光板１９の長辺側の端面（後述する光入射面１９ｂ）と対向状をなしており、当該板面には、複数（図６では２０個）のＬＥＤ１７がＬＥＤ基板１８の長辺方向（液晶パネル１１及び導光板１９の長辺方向、Ｘ軸方向）に沿って間隔を空けて並んで配されている。各ＬＥＤ１７は、ＬＥＤ基板１８における導光板１９側を向いた板面（導光板１９との対向面）に表面実装されており、ここが実装面１８ａとされている。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。また、Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４１】
導光板１９は、屈折率が空気よりも十分に高く且つほぼ透明な（透光性に優れた）合成樹脂材料（例えばＰＭＭＡなどのアクリル樹脂など）からなる。導光板１９は、図２及び図６に示すように、液晶パネル１１及びシャーシ１４の底板１４ａと同様に平面に視て横長の方形状をなす平板状とされることで、Ｘ軸方向及びＹ軸方向に沿う端面を４つ有するとともに、板面が液晶パネル１１及び光学部材１５の各板面と対向状をなしつつ並行している。導光板１９は、その板面における長辺方向がＸ軸方向と、短辺方向がＹ軸方向とそれぞれ一致し、且つ板面と直交する板厚方向（板面の法線方向）がＺ軸方向と一致している。導光板１９は、図７に示すように、シャーシ１４内において液晶パネル１１及び光学部材１５の直下位置に配されており、その外周端面のうちの長辺側の一対の端面がシャーシ１４における長辺側の両端部に配された対をなすＬＥＤ基板１８及びそこに実装された各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を長辺側の端面から導入するとともに、その光を内部で伝播させつつ光学部材１５側（表側、光出射側）へ向くよう立ち上げて板面から出射させる機能を有する。
【００４２】
平板状をなす導光板１９の板面のうち、表側を向いた板面（液晶パネル１１や光学部材１５との対向面）は、図６及び図７に示すように、内部の光を表側、つまり光学部材１５及び液晶パネル１１側に向けて出射させる光出射面１９ａとなっている。導光板１９における板面に対して隣り合う外周端面のうち、Ｘ軸方向（複数のＬＥＤ１７の並び方向、ＬＥＤ基板１８の長辺方向）に沿って長手状をなす一対の長辺側の端面は、それぞれＬＥＤ１７（ＬＥＤ基板１８）と所定の空間を空けて対向状をなしており、これらＬＥＤ１７から発せられた光が入射される一対の光入射面１９ｂとなっている。このＬＥＤ１７と光入射面１９ｂとの間に保有される空間の表側には、既述したフレーム側反射シート１６Ｒが配されているのに対し、同空間の裏側には、フレーム側反射シート１６Ｒとの間で同空間を挟み込む形で第１シャーシ側反射シート１４Ｒ１が配されている。両反射シート１４Ｒ１，１６Ｒは、上記空間に加えて導光板１９におけるＬＥＤ１７側の端部及びＬＥＤ１７をも挟み込む形で配されている。これにより、ＬＥＤ１７からの光を両反射シート１４Ｒ１，１６Ｒ間で繰り返し反射することで、光入射面１９ｂに対して効率的に入射させることができる。また、光入射面１９ｂは、Ｘ軸方向及びＺ軸方向に沿って並行する面とされ、光出射面１９ａに対して略直交する面とされる。また、ＬＥＤ１７と光入射面１９ｂとの並び方向は、Ｙ軸方向と一致しており、光出射面１９ａに並行している。
【００４３】
導光板１９の板面のうち、光出射面１９ａとは反対側の板面１９ｃには、図７に示すように、導光板１９内の光を反射して表側へ立ち上げることが可能な第２シャーシ側反射シート１４Ｒ２がその全域を覆う形で設けられている。言い換えると、第２シャーシ側反射シート１４Ｒ２は、シャーシ１４の底板１４ａと導光板１９との間に挟まれた形で配されている。なお、導光板１９における光出射面１９ａと反対側の板面１９ｃと、第２シャーシ側反射シート１４Ｒ２の表面との少なくともいずれか一方には、導光板１９内の光を散乱反射させる光反射部（図示せず）などが所定の面内分布を持つようパターニングされており、それにより光出射面１９ａからの出射光が面内において均一な分布となるよう制御されている。
【００４４】
ところで、従来では、ＬＥＤに備わる赤色蛍光体としてＹＡＧ系蛍光体を用いていたが、このＹＡＧ系蛍光体では、赤色光の発光強度を十分確保できない可能性があり、赤色光の明るさが不足するおそれがある。また、そもそも赤色光及び青色光は、その波長が視感度のピークとなる波長である５５５ｎｍから、緑色光や黄色光に比べて遠いため、本来的に暗く見えがちな光でもある。そこで、青色着色部及び赤色着色部の面積比率を、緑色着色部及び黄色着色部の面積比率よりも大きくすることが考えられる。しかしながら、赤色の明度を十分に確保するには、青色着色部及び赤色着色部の面積比率を一定以上大きくしなければならず、そうするとその分だけ緑色着色部及び黄色着色部の面積比率が小さくなってしまう。すると、緑色着色部及び黄色着色部に係る各画素内に容量配線などの配線を通すのが困難になり、仮にその配線を通すことができても画素面積に対する配線面積の比率が大きくなるために透過率が低下し、さらには画素面積が小さくなるのに伴って生じる光漏れ（コントラスト低下）が懸念されていた。
【００４５】
そこで、本実施形態では、青色着色部２９Ｂ及び赤色着色部２９Ｒを、緑色着色部２９Ｇ及び黄色着色部２９Ｙよりも大きな面積とした上で、ＬＥＤ１７に備えられる赤色蛍光体の発光スペクトルを下記のようにしている。すなわち、赤色蛍光体は、図９に示すように、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有している。具体的には、赤色蛍光体は、発光スペクトルに含まれるメインピークのピーク波長が上記波長範囲の中の６３０ｎｍとされ且つメインピークの半値幅（６２８ｎｍから６３６ｎｍまでの幅）が８ｎｍ程度とされ、第１サブピークのピーク波長が上記波長範囲の中の６１３ｎｍとされ、第２サブピークのピーク波長が上記波長範囲の中の６４７ｎｍとされるのが特に好ましい。このような構成により、赤色蛍光体から発せられる赤色光の色純度（彩度）が十分に高いものとされる。
【００４６】
なお、ここで言う発光スペクトルの「ピーク」とは、発光スペクトルの中の山状部分のことを指し、「ピーク波長」とは、上記山状部分の中の頂点における波長のことを指す。図９は、ＬＥＤ１７の発光スペクトルと、ＬＥＤ１７からの光を液晶パネル１１のカラーフィルタ２９を透過させて得た出射光における各色の透過スペクトルと、を表している。図９における横軸は、波長（単位：ｎｍ）を示している。一方、図９における縦軸の単位は、２種類あり、同図左側に出射光における各色の透過スペクトルに対応する単位として「分光透過率（％）」を示し、同図右側に後述するＬＥＤ１７の発光スペクトルに対応する単位として「発光強度（無単位）」を示している。
【００４７】
次に、カラーフィルタ２９を構成する４色の各着色部２９Ｒ，２９Ｇ，２９Ｂ，２９Ｙの大きさや配置について詳しく説明する。各着色部２９Ｒ，２９Ｇ，２９Ｂ，２９Ｙは、図５に示すように、Ｘ軸方向を行方向とし、Ｙ軸方向を列方向として行列状に配列されており、各着色部２９Ｒ，２９Ｇ，２９Ｂ，２９Ｙにおける列方向（Ｙ軸方向）の寸法は全て同一とされるものの、行方向（Ｘ軸方向）の寸法については各着色部２９Ｒ，２９Ｇ，２９Ｂ，２９Ｙによって異なるものとされる。より詳しくは、各着色部２９Ｒ，２９Ｇ，２９Ｂ，２９Ｙは、図５に示す左側から赤色着色部２９Ｒ、緑色着色部２９Ｇ、青色着色部２９Ｂ、黄色着色部２９Ｙの順で行方向に沿って並べられており、このうち赤色着色部２９Ｒ及び青色着色部２９Ｂの行方向の寸法が、黄色着色部２９Ｙ及び緑色着色部２９Ｇの行方向の寸法よりも相対的に大きなものとされる。つまり、行方向の寸法が相対的に大きな着色部２９Ｒ，２９Ｂと、行方向の寸法が相対的に小さな着色部２９Ｇ，２９Ｙと、が行方向について交互に繰り返し配されていることになる。これにより、赤色着色部２９Ｒ及び青色着色部２９Ｂの面積は、緑色着色部２９Ｇ及び黄色着色部２９Ｙの面積よりも大きなものとされている。緑色着色部２９Ｇ及び黄色着色部２９Ｙの面積比率を「１．０（基準）」としたときの赤色着色部２９Ｒ及び青色着色部２９Ｂの面積比率は、好ましくは「１．２」とされる。つまり、赤色着色部２９Ｒ及び青色着色部２９Ｂは、緑色着色部２９Ｇ及び黄色着色部２９Ｙに比べて面積が約２０％大きくなっている。言い換えると、表示画素３４の全体の面積を「１００％（基準）」としたとき、赤色着色部２９Ｒ及び青色着色部２９Ｂの面積は、それぞれ「約２７％」とされ、緑色着色部２９Ｇと黄色着色部２９Ｙの面積は、それぞれ「約２３％」とされる。青色着色部２９Ｂと赤色着色部２９Ｒとの面積は、互いに等しいものとされる。同様に緑色着色部２９Ｇと黄色着色部２９Ｙとの面積は、互いに等しいものとされる。
【００４８】
なお、カラーフィルタ２９が上記のような構成とされるのに伴い、アレイ基板２０においては、図４に示すように、画素電極２５における行方向（Ｘ軸方向）の寸法が列によって異なるものとされる。すなわち、各画素電極２５のうち、赤色着色部２９Ｒ及び青色着色部２９Ｂと重畳するものの行方向の寸法及び面積は、黄色着色部２９Ｙ及び緑色着色部２９Ｇと重畳するものの行方向の寸法及び面積よりも相対的に大きなものとされる。また、ゲート配線２６については、全て等ピッチで配列されているのに対し、ソース配線２７については、画素電極２５の行方向の寸法に応じて２通りのピッチで配列されている。
【００４９】
以上のように、ＬＥＤ１７に備えられる赤色蛍光体の発光スペクトルのメインピークにおけるピーク波長が上記した数値範囲の下限値（６２９ｎｍ）以上とされることで、それよりも短波長側にした場合に比べると、色相が黄色寄りにずれることが避けられている。さらには、赤色蛍光体の発光スペクトルのメインピークにおけるピーク波長が上記した数値範囲の上限値（６３５ｎｍ）以下とされることで、それよりも長波長側にした場合に比べると、視感度のピークである５５５ｎｍにより近くなるので、赤色光の明るさが十分に得られる。そして、この赤色蛍光体から発せられる色純度の高い赤色光は、例えば同じ輝度で色純度の低い赤色光に比べると、ヘルムホルツ−コールラウシュ効果（Helmholtz-Kohlrausch phenomenon）によって、相対的に明るさが高いものとされる。従って、カラーフィルタ２９における青色着色部２９Ｂ及び赤色着色部２９Ｒを、緑色着色部２９Ｇ及び黄色着色部２９Ｙに比べてそれほど大きな面積としなくても、ヘルムホルツ・コールラウシュ効果によって赤色光の明るさが十分に高いものとなり、もって液晶パネル１１の出射光に係る輝度及び色再現性が向上する。特に、４Ｋ解像度などの超高精細画像の表示を行う場合には、表示画素３４の面積が小さくなって各色の着色部２９Ｒ，２９Ｇ，２９Ｂ，２９Ｙの個々の面積も小さくなる傾向にあることから、高精細化により好適とされる。つまり、各色の着色部２９Ｒ，２９Ｇ，２９Ｂ，２９Ｙの個々の面積が小さくなっても、上記のように緑色着色部２９Ｇ及び黄色着色部２９Ｙの面積比率がそれほど小さくなっていないので、緑色画素３４Ｇ及び黄色画素３４Ｙにおいて容量配線３３などの配線を容易に通すことができるとともに、画素面積に対する配線面積の比率がそれほど大きくならないから、透過率の低下及び光漏れ（コントラスト低下）の発生が抑制される。これにより、高精細化された液晶パネル１１の製造が容易になるとともに表示される表示画像に係る表示品位が高く保たれる。
【００５０】
ここで、上記したヘルムホルツ−コールラウシュ効果とは、人間の網膜に対して物理的に当たる光の強さ（網膜照度）が同じ色光であっても、その光が持つ色純度（彩度、半値幅）によって人間に視認される明るさが変化する現象のことをいう。例えば、色光の色純度が高い（彩度が高い、半値幅が狭い）と明るく、逆に色光の色純度が低い（彩度が低い、半値幅が広い）と暗く感じる傾向とされる。また、同じ輝度率の高彩度色の光と無彩色の光とを比べると、高彩度色の光の方が明るい色に見える。なお、赤色や青紫色と比較して、黄色はこの効果が小さい。このヘルムホルツ−コールラウシュ効果は、Ｌ／Ｙ効果またはＢ／Ｌ効果とも呼ばれ、この値が大きいほど当該効果が大きい。このうち、Ｌ／Ｙ効果とは、三刺激値の輝度率（３刺激値のＹ値）に対する明度（Lightness）の比率である。また、Ｂ／Ｌ効果とは、輝度（Luminance）に対する明るさ（Brightness）の比率である。なお、ここでいう「明度（Lightness）」とは、白色面や無色透明の明るさに比較して、相対的に判断される試料面の明るさをいう。また、ここでいう「明るさ（Brightness）」とは、面が観測者の方向に発散する光の面密度の大小に関係する色知覚をいう。
【００５１】
次に、赤色蛍光体について詳しく説明する。赤色蛍光体には、少なくとも複フッ化物蛍光体が含有されている。この複フッ化物蛍光体は、一般式Ａ2ＭＦ6（ＭはＳｉ、Ｔｉ、Ｚｒ、Ｈｆ、Ｇｅ及びＳｎから選ばれる１種以上、ＡはＬｉ、Ｎａ、Ｋ、Ｒｂ及びＣｓから選ばれる１種以上）により表される。この複フッ化物蛍光体は、発光スペクトルに含まれるメインピークの半値幅が十分に狭くなっているので、色純度の高い赤色光を発光することができる。また、緑色蛍光体から発せられる緑色光を吸収し難いものとされているので、緑色光の利用効率が高く保たれる。複フッ化物蛍光体は、付活剤としてマンガンを用いたケイフッ化カリウム（Ｋ2ＳｉＦ6：Ｍｎ）とされる。このようなケイフッ化カリウムでは、材料として高価な希土類元素を用いていないので、赤色蛍光体並びにＬＥＤ１７に係る製造コストが安価なものとなっている。この複フッ化物蛍光体であるケイフッ化カリウムは、その発光スペクトルが特徴的なものとなっており、図９に示すように、１つのメインピークと、その長波長側と短波長側とに１つずつのサブピーク（第１サブピーク及び第２サブピーク）と、を有するものとされる。
【００５２】
本実施形態に係るＬＥＤ１７には、上記のような赤色蛍光体に加えて、次のような緑色蛍光体が含有されている。この緑色蛍光体には、酸窒化物蛍光体の一種であるサイアロン系蛍光体と、酸化物蛍光体の一種であるＢＯＳＥ系蛍光体と、がそれぞれ含有されている。サイアロン系蛍光体は、窒化ケイ素のシリコン原子の一部がアルミニウム原子に、窒素原子の一部が酸素原子に置換された物質、つまり酸窒化物である。酸窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。しかも、発光スペクトルに含まれるピークの半値幅が十分に狭くなることで色純度の高い緑色光を発光することができる。サイアロン系蛍光体には、付活剤として希土類元素（例えばＴｂ，Ｙｇ，Ａｇなど）が用いられる。そして、本実施形態に係る緑色蛍光体を構成するサイアロン系蛍光体は、β−ＳｉＡｌＯＮとされる。β−ＳｉＡｌＯＮは、サイアロン系蛍光体の一種であり、β型窒化ケイ素結晶にアルミニウムと酸素とが固溶した一般式Ｓｉ6-zＡｌzＯzＮ8-z（ｚは固溶量を示す）または（Ｓｉ，Ａｌ）6（Ｏ，Ｎ）8により表される物質である。本実施形態に係るβ−ＳｉＡｌＯＮには、付活剤として例えば希土類元素の一種であるＥｕ（ユーロピウム）が用いられている。これにより、発光スペクトルに含まれるピークの半値幅がより狭くなるので、色純度の高い緑色光を発光することができる。本実施形態で用いられるβ−ＳｉＡｌＯＮは、ピークのピーク波長が５４０ｎｍ程度とされる発光スペクトルを有する。一方、ＢＯＳＥ系蛍光体の一種であるＢＯＳＥは、例えば付活剤としてＥｕ（ユーロピウム）を用いた（Ｂａ・Ｓｒ）2ＳｉＯ4により表される。本実施形態で用いられるＢＯＳＥは、ピークのピーク波長が５２２ｎｍ程度とされる発光スペクトルを有する。
【００５３】
さらには、本実施形態に係るＬＥＤ１７は、上記した緑色蛍光体及び赤色蛍光体の他に備える青色ＬＥＤ素子４０が次のような発光スペクトルを有するものとされている。すなわち、青色ＬＥＤ素子４０は、ピーク波長が青色の波長領域である４３０ｎｍ〜４６０ｎｍの範囲となるピークを含む発光スペクトルを有している。具体的には、青色ＬＥＤ素子４０は、ピーク波長が４４３ｎｍ程度となるピークを含み且つその半値幅（４３２ｎｍから４５６ｎｍまでの幅）が２４ｎｍ程度となる発光スペクトルを有するよう構成されるのが好ましい。この青色ＬＥＤ素子４０から発せられる青色光は、発光スペクトルのピークにおける半値幅が十分に狭くて色純度が高く且つ輝度が十分に高いものとされるから、緑色蛍光体及び赤色蛍光体を効率的に励起して緑色光及び赤色光を発光させることができるとともに、ＬＥＤ１７からの青色光に係る色純度が高いものとなる。
【００５４】
そして、上記のような構成のＬＥＤ１７からの光によって画像を表示する液晶パネル１１に備えられるカラーフィルタ２９を構成する各色の着色部２９Ｒ，２９Ｇ，２９Ｂは、次のような透過スペクトルを有している。すなわち、赤色を呈する赤色着色部２９Ｒは、図１０に示すように、赤色の波長領域（約６００ｎｍ〜約７８０ｎｍ）の光、つまり赤色光を選択的に透過するものとされており、その透過スペクトルに含まれるピークの半値となる波長が５８０ｎｍ以上となるよう構成されている。具体的には、赤色着色部２９Ｒは、ピークの半値となる波長が５８６ｎｍ〜５８７ｎｍの範囲となる透過スペクトルを有するよう構成されるのが好ましい。つまり、赤色着色部２９Ｒに係る透過スペクトルには、赤色蛍光体の発光スペクトルのメインピーク、第１サブピーク、及び第２サブピークがそれぞれ全域にわたって含まれているので、ＬＥＤ１７から発せられた光の中の高い色純度の赤色光が、赤色着色部２９Ｒを効率的に透過することになる。これにより、ＬＥＤ１７からの赤色光に係る利用効率をより高く保つことができるとともに、液晶パネル１１の出射光に係る色度領域における赤色の色域が広くなって色再現性により優れる。なお、ここで言う透過スペクトルの「ピーク」とは、透過スペクトルの中の山状部分のことを指し、「ピーク波長」とは、上記山状部分の中の頂点における波長のことを指す。また、図１０は、カラーフィルタ２９の分光透過率を表している。このカラーフィルタ２９の分光透過率は、所定の基準光源からの白色光（例えば、Ｄ６５光源（０．３１５７，０．３２９０）、Ａ光源（０．４４７６，０．４０７４）、Ｂ光源（０．３４８４，０．３５１６）、Ｃ光源（０．３１０１，０．３１６１）など）をカラーフィルタ２９に透過させることで得ている。図１０における横軸は、波長（単位：ｎｍ）とされるのに対し、同図における縦軸の単位は、「分光透過率（％）」とされる。
【００５５】
緑色を呈する緑色着色部２９Ｇは、図１０に示すように、緑色の波長領域（約５００ｎｍ〜約５７０ｎｍ）の光、つまり緑色光を選択的に透過するものとされており、その透過スペクトルに含まれるピークのピーク波長が５１０ｎｍ〜５５０ｎｍの範囲となるとともに、当該ピークの半値幅が１１０ｎｍ未満となるよう構成されている。具体的には、緑色着色部２９Ｇは、ピーク波長が５３０ｎｍ程度となるピークを含み且つその半値幅（４８５ｎｍから５８５ｎｍまでの幅）が１００ｎｍ程度となる透過スペクトルを有するよう構成されるのが好ましい。つまり、緑色着色部２９Ｇに係る透過スペクトルには、緑色蛍光体の発光スペクトルのピークが全域にわたって含まれているので、ＬＥＤ１７から発せられた光の中の高い色純度の緑色光が、緑色着色部２９Ｇを効率的に透過することになる。これにより、ＬＥＤ１７からの緑色光に係る利用効率をより高く保つことができるとともに、液晶パネル１１の出射光に係る色度領域における緑色の色域が広くなって色再現性により優れる。
【００５６】
黄色を呈する黄色着色部２９Ｙは、図１０に示すように、黄色の波長領域（５８０ｎｍ〜６００ｎｍ）の光、つまり黄色光を選択的に透過するものとされており、その透過スペクトルに含まれるピークの半値となる波長が４８０ｎｍ〜５８０ｎｍの範囲に存するよう構成されている。具体的には、黄色着色部２９Ｙは、ピークの半値となる波長が４９９ｎｍ程度となる透過スペクトルを有するよう構成されるのが好ましい。つまり、黄色着色部２９Ｙに係る透過スペクトルには、緑色蛍光体の発光スペクトルのピークが全域にわたって含まれるとともに、赤色蛍光体の発光スペクトルのメインピーク、第１サブピーク、及び第２サブピークがそれぞれ全域にわたって含まれているので、ＬＥＤ１７から発せられた光の中の高い色純度の緑色光及び赤色光が、黄色着色部２９Ｙを効率的に透過することになる。これにより、ＬＥＤ１７からの緑色光及び赤色光に係る利用効率をそれぞれより高く保つことができるとともに、液晶パネル１１の出射光に係る色度領域における黄色の色域が広くなって色再現性により優れる。
【００５７】
青色を呈する青色着色部２９Ｂは、図１０に示すように、青色の波長領域（約４２０ｎｍ〜約５００ｎｍ）の光、つまり青色光を選択的に透過するものとされており、その透過スペクトルに含まれるピークのピーク波長が４４０ｎｍ〜４８０ｎｍの範囲となるとともに、当該ピークの半値幅が１２０ｎｍ未満となるよう構成されている。具体的には、青色着色部２９Ｂは、ピーク波長が４６０ｎｍとなるピークを含み且つその半値幅（４０２ｎｍから５１４ｎｍまでの幅）が１１２ｎｍ程度となる透過スペクトルを有するよう構成されるのが好ましい。つまり、青色着色部２９Ｂに係る透過スペクトルには、青色ＬＥＤ素子４０の発光スペクトルのピークが全域にわたって含まれているので、ＬＥＤ１７から発せられた光の中の高い色純度の青色光が、青色着色部２９Ｂを効率的に透過することになる。これにより、ＬＥＤ１７からの青色光に係る利用効率をより高く保つことができるとともに、液晶パネル１１の出射光に係る色度領域における青色の色域が広くなって色再現性により優れる。
【００５８】
ここで、ＬＥＤ１７及びカラーフィルタ２９を上記のような構成とすることで、赤色光の明るさなどがどのようなものになるか、に関して知見を得るため、下記の比較実験１を行った。この比較実験１では、本段落以前に説明したＬＥＤ１７を有するバックライト装置１２と、カラーフィルタ２９を有する液晶パネル１１と、を備えた液晶表示装置１０を実施例１とし、この実施例１から、液晶パネルのカラーフィルタにおける青色着色部及び赤色着色部の面積比率を変更するとともに、バックライト装置のＬＥＤに備わる赤色蛍光体を変更した液晶表示装置を比較例１とし、この比較例１と同じＬＥＤを用いるものの、液晶パネルのカラーフィルタにおける青色着色部及び赤色着色部の面積比率を実施例１と同じにした液晶表示装置を比較例２としている。実施例１に係る液晶表示装置１０は、本段落以前に説明したものと同一であり、ＬＥＤ１７に備えられる緑色蛍光体は、図９及び図１３に示すように、ピークのピーク波長が５４０ｎｍとされる発光スペクトルを有するβ−ＳｉＡｌＯＮと、ピークのピーク波長が５２２ｎｍとされる発光スペクトルを有するＢＯＳＥと、から構成されている。一方、赤色蛍光体は、発光スペクトルに含まれるメインピークのピーク波長が６３０ｎｍとされ且つその半値幅が８ｎｍ程度とされ、第１サブピークのピーク波長が６１３ｎｍとされ、第２サブピークのピーク波長が６４７ｎｍとされる。実施例１では、液晶パネル１１のカラーフィルタ２９を構成する青色着色部２９Ｂ及び赤色着色部２９Ｒの面積比率（緑色着色部２９Ｇ及び黄色着色部２９Ｙの面積比率を「１」とした相対値）が「１．２」とされる。
【００５９】
比較例１，２に係る液晶表示装置は、図１１から図１３に示すように、ＬＥＤに備わる緑色蛍光体については、上記した実施例１と同様とされるものの、赤色蛍光体は、ピーク波長を６５０ｎｍとした発光スペクトルを有するカズン系蛍光体の一種であるＣａＡｌＳｉＮ3：Ｅｕからなるものとされる。なお、比較例１と比較例２とでは、緑色蛍光体を構成するβ−ＳｉＡｌＯＮとＢＯＳＥとにおける配合比率が互いに異なるものとされ、それによりＬＥＤの光学特性（色度や輝度など）が互いに異なるものとされる。比較例１では、液晶パネルのカラーフィルタを構成する青色着色部及び赤色着色部の面積比率が「１．６」とされる。比較例１において、表示画素の全体の面積を「１００％（基準）」としたとき、赤色着色部及び青色着色部の面積は、それぞれ「約３１％」とされ、緑色着色部２と黄色着色部の面積は、それぞれ「約１９％」とされる。この比較例１に係るカラーフィルタの分光透過率を、図１０において細い線（細い破線、細い一点鎖線及び細い二点鎖線）によって図示している。なお、比較例１に係るカラーフィルタを構成する各着色部の透過スペクトルにおけるピークの高さに関しては、図１０に示すように、実施例１及び比較例２と比べて、青色及び赤色が相対的に高くなり、緑色及び黄色が相対的に低くなる点で異なるものの、ピーク波長、半値幅、及びピークの半値となる波長に関しては、いずれも実施例１及び比較例２と概ね同じ値となっている。比較例２では、液晶パネルのカラーフィルタを構成する青色着色部及び赤色着色部の面積比率が実施例１と同じ「１．２」とされる。以上の点を除いて、比較例１，２に係る液晶表示装置に備わる他の構成に関しては、実施例１に係る液晶表示装置１０と同様である。また、実施例１及び比較例１，２に係る各ＬＥＤに備えられる青色ＬＥＤ素子は、いずれもピークのピーク波長が４４３ｎｍとされ且つその半値幅が２４ｎｍ程度の発光スペクトルを有している。なお、図１１は、比較例１のＬＥＤの発光スペクトルと、ＬＥＤからの光を液晶パネルのカラーフィルタを透過させて得た出射光における各色の透過スペクトルと、を表しており、図１２は、比較例２のＬＥＤの発光スペクトルと、ＬＥＤからの光を液晶パネルのカラーフィルタを透過させて得た出射光における各色の透過スペクトルと、を表している。図１１及び図１２における横軸及び横軸は、図９と同様である。
【００６０】
そして、この比較実験１では、上記した構成の実施例１及び比較例１，２に係る各液晶表示装置において、ＬＥＤの色度と、液晶パネルからの各色（青色、緑色、赤色、及び黄色）の出射光の色度と、各色の出射光の輝度と、を測定するとともに、出射光に係る色度領域のＮＴＳＣ比、ＢＴ．７０９比、ＤＣＩ比、及びＢＴ．２０２０比と、各色の出射光の輝度比と、ヘルムホルツ−コールラウシュ効果を考慮した各色の出射光の明るさの比率（「log(L)+f」比）と、を算出しており、その結果を図９，図１１から図１６に示す。図１３には、比較実験１の実験結果の一覧（輝度比及び「log(L)+f」比を除く）が記載されている。図９，図１１及び図１２は、既に説明した通りである。図１４及び図１５は、後に詳しく説明する各規格に係る色度領域と、実施例１及び比較例１，２に係る液晶表示装置の液晶パネルからの出射光の色度領域と、を表している。そして、図１６には、白色の出射光を基準とした各色の出射光の輝度比と、白色の出射光を基準とした各色の出射光の「log(L)+f」比と、を記載している。このため、図１６において基準となる「白色光」の欄は、全て「１００％」となっている。
【００６１】
ＬＥＤの色度は、ＬＥＤから発せられた光を例えば分光測色計などにより測定得ている。液晶パネルからの出射光の色度は、白色表示させた状態と、青色表示させた状態と、緑色表示させた状態と、赤色表示させた状態と、でそれぞれカラーフィルタを透過した光を、分光測色計などにより測定して得ている。なお、液晶パネルにおいて白色表示させるには、カラーフィルタを構成する全ての着色部の透過率を最大とし、青色表示させるには、カラーフィルタを構成する青色着色部の透過率を最大としてそれ以外の色の各着色部の透過率を最小とし、緑色表示させるには、カラーフィルタを構成する緑色着色部の透過率を最大としてそれ以外の色の各着色部の透過率を最小とし、赤色表示させるには、カラーフィルタを構成する赤色着色部の透過率を最大としてそれ以外の色の各着色部の透過率を最小とし、黄色表示させるには、カラーフィルタを構成する黄色着色部の透過率を最大としてそれ以外の色の各着色部の透過率を最小としている。液晶パネルからの出射光に係る色度領域におけるＮＴＳＣ比、ＢＴ．７０９比、ＤＣＩ比、及びＢＴ．２０２０比は、実施例１及び比較例１，２に係る各液晶表示装置において、液晶パネルの出射光に係る色度領域の各規格に対する面積比である。液晶パネルの出射光に係る色度領域は、液晶パネルに青色表示させたときの色度（青色の色度、青色の原色点）と、赤色表示させたときの色度（赤色の色度、赤色の原色点）と、緑色表示させたときの色度（緑色の色度、緑色の原色点）と、黄色表示させたときの色度（黄色の色度、黄色の原色点）と、をそれぞれ測定し、それらの各色度を各色度図にプロットしたときに表れる、各色度を頂点とした四角形の領域である。
【００６２】
図１４は、ＣＩＥ（Commission Internationale de l'Eclairage：国際照明委員会）１９３１色度図であり、横軸がｘ値、縦軸がｙ値である。図１５は、ＣＩＥ１９７６色度図であり、横軸がｕ′値、縦軸がｖ′値である。図１３におけるｘ値及びｙ値は、図１４に示すＣＩＥ１９３１色度図における色度座標の値である。一方、図１３におけるｕ′値及びｖ′値は、図１５に示すＣＩＥ１９７６色度図における色度座標の値である。また、図１３におけるＸ値，Ｙ値，Ｚ値は、ＸＹＺ表色系における３刺激値であり、このうち、特にＹ値は、輝度の指標として用いられる。本実施形態においても、各色の出射光の輝度比は、「白色表示時における出射光（白色の出射光）の色度」におけるＹ値を元に算出している。また、ｘ値及びｙ値は、上記したＸ値，Ｙ値，Ｚ値を用いて表すことができ、下記の式（１），式（２）の通りとなる。同様に、ｕ′値及びｖ′値についても、上記したＸ値，Ｙ値，Ｚ値を用いて表すことができ、下記の式（３），式（４）の通りとなる。
【００６３】
［数１］
ｘ＝Ｘ／（Ｘ＋Ｙ＋Ｚ）・・・（１）
【００６４】
［数２］
ｙ＝Ｙ／（Ｘ＋Ｙ＋Ｚ）・・・（２）
【００６５】
［数３］
ｕ′＝４Ｘ／（Ｘ＋１５Ｙ＋３Ｚ）・・・（３）
【００６６】
［数４］
ｖ′＝９Ｙ／（Ｘ＋１５Ｙ＋３Ｚ）・・・（４）
【００６７】
上記したＮＴＳＣ比とは、ＮＴＳＣ（National Television System Committee：全米テレビジョン放送方式標準化委員会）規格に係るＮＴＳＣ色度領域の面積を基準（１００％）としたときの、色度領域における面積比のことである。ＢＴ．７０９比とは、ＩＴＵ−Ｒ（International Telecommunication Union Radiocommunications Sector：国際電気通信連合 無線通信部門）が策定したＢＴ．７０９規格に係るＢＴ．７０９色度領域の面積を基準（１００％）としたときの、色度領域における面積比のことである。ＤＣＩ比とは、ＤＣＩ（Digital Cinema Initiative）規格に係るＤＣＩ色度領域の面積を基準（１００％）としたときの、色度領域における面積比のことである。ＢＴ．２０２０比とは、ＩＴＵ−Ｒ（International Telecommunication Union Radiocommunications Sector：国際電気通信連合 無線通信部門）が策定したＢＴ．２０２０規格に係るＢＴ．２０２０色度領域の面積を基準（１００％）としたときの、色度領域における面積比のことである。なお、図１４及び図１５では、ＢＴ．７０９色度領域を細い二点鎖線により、ＮＴＳＣ色度領域を一点鎖線により、ＤＣＩ色度領域を破線により、ＢＴ．２０２０色度領域を太い二点鎖線により、それぞれ図示している。また、実施例１に係る各色度を丸形のプロットにより示すとともに実施例１に係る色度領域を太い実線により示している。比較例１に係る各色度を白抜きの菱形のプロットにより示すとともに比較例１に係る色度領域を細い破線により示している。比較例２に係る各色度を「×」形のプロットにより示すとともに比較例２に係る色度領域を細い実線により示している。
【００６８】
図１６に示される液晶パネルからの各色の出射光の輝度比は、既述したように液晶パネルに各色を表示した状態で各色の出射光の輝度値（Ｙ値）をそれぞれ測定し、その中の白色表示時における出射光（白色の出射光）の輝度値（Ｙ値）を基準（１００％）として算出した相対値であり、単位を「％」としている。つまり、赤色の出射光の輝度比は、赤色表示時における出射光の輝度値を、白色表示時における出射光の輝度値にて除した得た百分率であり、黄色の出射光の輝度比は、黄色表示時における出射光の輝度値を、白色表示時における出射光の輝度値にて除した得た百分率であり、緑色の出射光の輝度比は、緑色表示時における出射光の輝度値を、白色表示時における出射光の輝度値にて除した得た百分率であり、青色の出射光の輝度比は、青色表示時における出射光の輝度値を、白色表示時における出射光の輝度値にて除した得た百分率である。各色の出射光の「log(L)+f」比は、上記のように測定して得た各色の出射光に係る輝度値（Ｙ値）を「L」としたときの対数「log(L)」と、補正係数「f」と、を足し合わせて算出した数値「log(L)+f」の比率（単位：「％」）であり、白色光の数値を基準（１００％）としている。このうちの「f」は、ＣＩＥ１９３１色度図に係る色度座標値である「x,y」によって算出される補正係数であり、その演算式は、下記の式（５）の通りである。赤色の出射光の「log(L)+f」比は、赤色表示時における出射光の「log(L)+f」値を、白色表示時における出射光の「log(L)+f」値にて除した得た百分率であり、黄色の出射光の「log(L)+f」比は、黄色表示時における出射光の「log(L)+f」値を、白色表示時における出射光の「log(L)+f」値にて除した得た百分率であり、緑色の出射光の「log(L)+f」比は、緑色表示時における出射光の「log(L)+f」値を、白色表示時における出射光の「log(L)+f」値にて除した得た百分率であり、青色の出射光の「log(L)+f」比は、青色表示時における出射光の「log(L)+f」値を、白色表示時における出射光の「log(L)+f」値にて除した得た百分率である。なお、上記した数値「log(L)+f」は、明るさ（Brightness）を表すとともに、この明るさが輝度（Luminance）と色度（Chromaticity）とに依存していることを示している。
【００６９】
［数５］
ｆ＝０．２５６−０．１８４ｙ−２．５２７ｘｙ＋４．６５６ｘ３ｙ＋４．６５７ｘｙ４・・・（５）
【００７０】
続いて、比較実験１の実験結果について説明する。比較例１は、図１６に示すように、青色及び赤色の出射光の輝度比（赤色表示時における出射光の色度のＹ値）、及び青色及び赤色の出射光の「log(L)+f」比が、比較例２に比べて、相対的に高いものとなっている。これは、比較例１に係る青色着色部及び赤色着色部の面積比率が、比較例２の同面積比率よりも大きくなっていて、青色光及び赤色光の透過光量が相対的に多くなっていることに因るものと考えられる。つまり、青色着色部及び赤色着色部の面積比率を小さくすると、青色及び赤色の出射光の光量が減少し、その輝度比及び「log(L)+f」比が低下する傾向にある、と言える。
【００７１】
次に、比較例２と実施例１とを比較すると、図１６に示すように、青色及び赤色の出射光の輝度比に関してはそれぞれ同値とされるものの、青色及び赤色の出射光の「log(L)+f」比に関しては、実施例１の方が比較例２よりも高い値となっている。これは、実施例１では、ＬＥＤの赤色蛍光体としてピークの半値幅が狭い発光スペクトルを有するケイフッ化カリウムを用いているので、その赤色蛍光体から発光される赤色光の色純度が極めて高くなっており、それによりヘルムホルツ−コールラウシュ効果を考慮した出射光の明るさの比率である「log(L)+f」比が高い値となったものと考えられる。この実施例１における青色及び赤色の出射光の「log(L)+f」比は、比較例１における青色及び赤色の出射光の「log(L)+f」比に近い値となっている。つまり、実施例１では、青色着色部及び赤色着色部の面積比率が比較例１よりも小さくなるのに伴って赤色光の輝度が低下するのを、ＬＥＤの赤色蛍光体としてケイフッ化カリウムを用いることで補うことができている、と言える。従って、実施例１によれば、青色着色部及び赤色着色部の面積比率を小さく保ちつつ、赤色光の明るさを十分に得ることができる。実施例１のように青色着色部及び赤色着色部の面積比率が「１．２」とされていれば、液晶パネル１１の高精細化に伴って表示画素３４の面積が小さくなった場合でも、最も面積が小さくなる緑色画素３４Ｇ及び黄色画素３４Ｙにおいて容量配線３３などの配線を容易に通すことができるとともに、画素面積に対する配線面積の比率がそれほど大きくならないから、透過率の低下及び光漏れ（コントラスト低下）の発生が抑制される。これにより、高精細化された液晶パネル１１の製造が容易になるとともに表示される表示画像に係る表示品位が高く保たれる。
【００７２】
白色光の出射光の輝度（白色表示時における出射光の色度のＹ値）に関しては、図１３に示すように、最も高いのが実施例１とされ、次いで比較例１が高く、比較例２が最も低くなっている。これは、実施例１に係るＬＥＤは、その輝度（ＬＥＤの色度のＹ値）が比較例１に係るＬＥＤと同等とされるのに対し、実施例１に係る緑色着色部及び黄色着色部の面積比率が比較例１の同面積比率よりも大きくなっていることから、視感度のピークである５５５ｎｍに近い波長の緑色光及び黄色光の透過光量が相対的に多くなっていることに因るものと考えられる。なお、比較例２は、ＬＥＤの輝度が比較例１よりも大きく低下しているため、白色光の出射光の輝度が比較例１よりも僅かに低くなっている。次に、色再現性に関しては、図１３から図１５に示すように、実施例１に係る色度領域が最も広く、次いで比較例２に係る色度領域が広く、比較例１に係る色度領域が最も狭くなっている。詳しくは、実施例１及び比較例１，２は、緑色及び黄色の各色域が概ね同等とされるものの、青色及び赤色の各色域が異なっている。中でも、実施例１に係る色度領域における赤色の色域は、比較例１，２の同赤色の色域よりも大きく拡張されており、その理由は、実施例１に係る赤色蛍光体から発光される赤色光の色純度が高いことに因るものと考えられる。また、実施例１及び比較例２に係る色度領域における青色の色域は、比較例１の同青色の色域よりも大きく拡張されており、その理由は、実施例１及び比較例２に係るＬＥＤは、図９，図１１及び図１２に示すように、青色光の発光強度が比較例１に比べて高くなっていることに因るものと考えられる。実施例１及び比較例２において、ＬＥＤの青色光の発光強度を高くする理由は、実施例１及び比較例２では、青色着色部の面積比率が比較例１よりも小さいため、青色光の透過光量が不足しないようにするためである。なお、実施例１及び比較例２において、ＬＥＤの消費電力を増やすことなく、ＬＥＤの青色光の発光強度を高くするには、ＬＥＤにおける緑色蛍光体及び赤色蛍光体の含有量を、比較例１に比べて少なくするのが好ましい。
【００７３】
以上説明したように本実施形態の液晶表示装置（表示装置）１０は、青色光を発光する青色ＬＥＤ素子（青色発光素子）４０と、青色ＬＥＤ素子４０からの青色光に励起されて緑色光を発光する緑色蛍光体と、青色ＬＥＤ素子４０からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有するＬＥＤ（光源）１７を備えるバックライト装置（照明装置）１２と、青色を呈する青色着色部２９Ｂと、緑色を呈する緑色着色部２９Ｇと、赤色を呈する赤色着色部２９Ｒと、黄色を呈する黄色着色部２９Ｙと、を少なくとも備えてなるカラーフィルタ２９であって、青色着色部２９Ｂ及び赤色着色部２９Ｒが緑色着色部２９Ｇ及び黄色着色部２９Ｙよりも相対的に大きな面積とされたカラーフィルタ２９を有し、バックライト装置１２からの光を利用して表示を行う液晶パネル（表示パネル）１１と、を備える。
【００７４】
このようにすれば、バックライト装置１２に備えられるＬＥＤ１７から発せられた光が液晶パネル１１に供給されると、その光が液晶パネル１１に有されて少なくとも青色、緑色、赤色を呈する複数の着色部からなるカラーフィルタ２９を透過して液晶パネル１１から出射されることで、液晶パネル１１に画像が表示される。ここで、バックライト装置１２に備えられるＬＥＤ１７は、青色ＬＥＤ素子４０から発せられる青色光と、青色光に励起された緑色蛍光体から発せられる緑色光と、青色光に励起された赤色蛍光体から発せられる赤色光と、により全体として概ね白色となる光を発光するものとされる。
【００７５】
ＬＥＤ１７に有される赤色蛍光体は、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有しているから、赤色蛍光体から発せられる赤色光の色純度（彩度）が十分に高いものとされる。特に、赤色蛍光体の発光スペクトルのメインピークにおける半値幅が１０ｎｍ未満とされることで、それを超える大きさにした場合に比べると、高い色純度が得られている。しかも、赤色蛍光体の発光スペクトルのメインピークにおけるピーク波長が上記した数値範囲の下限値（６２９ｎｍ）以上とされることで、それよりも短波長側にした場合に比べると、色相が黄色寄りにずれることが避けられる。さらには、赤色蛍光体の発光スペクトルのメインピークにおけるピーク波長が上記した数値範囲の上限値（６３５ｎｍ）以下とされることで、それよりも長波長側にした場合に比べると、視感度のピークである５５５ｎｍにより近くなるので、赤色光の明るさが十分に得られる。そして、この赤色蛍光体から発せられる色純度の高い赤色光は、例えば同じ輝度で色純度の低い赤色光に比べると、ヘルムホルツ−コールラウシュ効果（Helmholtz-Kohlrausch phenomenon）によって、相対的に明るさが高いものとされる。従って、液晶パネル１１のカラーフィルタ２９における青色着色部２９Ｂ及び赤色着色部２９Ｒを、緑色着色部２９Ｇ及び黄色着色部２９Ｙに比べてそれほど大きな面積としなくても、ヘルムホルツ・コールラウシュ効果によって赤色光の明るさが十分に高いものとなる。特に、４Ｋ解像度などの超高精細画像の表示を行う場合には、表示画素の面積が小さくなって各色の着色部２９Ｂ，２９Ｇ，２９Ｇ，２９Ｙの面積も小さくなる傾向にあることから、高精細化により好適とされる。
【００７６】
また、赤色蛍光体には、複フッ化物蛍光体が含有されている。このようにすれば、発光スペクトルに含まれるメインピークの半値幅が十分に狭くなることで色純度の高い赤色光を発光することができる。従って、ヘルムホルツ・コールラウシュ効果によって赤色光の明るさが一層高いものとなる。また、緑色蛍光体から発せられる緑色光を吸収し難いものとされているので、緑色光の利用効率が高く保たれる。
【００７７】
また、複フッ化物蛍光体は、付活剤としてマンガンを用いたケイフッ化カリウムとされる。このようにすれば、材料として高価な希土類元素を用いていないので、赤色蛍光体並びにＬＥＤ１７に係る製造コストが安価なものとなる。
【００７８】
また、青色着色部２９Ｂ及び赤色着色部２９Ｒは、面積が互いに等しくされるのに対し、緑色着色部２９Ｇ及び黄色着色部２９Ｙは、面積が互いに等しくされている。このようにすれば、各色の着色部２９Ｂ，２９Ｇ，２９Ｇ，２９Ｙに係る透過率を個別に制御する、いわゆるレンダリングを行うことで、液晶パネル１１に表示される画像に係る解像度を高めることができる。
【００７９】
また、青色着色部２９Ｂ及び赤色着色部２９Ｒは、緑色着色部２９Ｇ及び黄色着色部２９Ｙに対する面積比率が１．２とされる。このようにすれば、上記面積比率を、仮に１．２を超える数値とした場合（例えば１．４とした場合）に比べると、高精細化に一層好適とされる。また、上記面積比率を、仮に１．２を下回る数値とした場合に比べると、赤色光の明るさを十分に高いものとすることができる。
【００８０】
また、赤色着色部２９Ｒは、ピークの半値となる波長が５８０ｎｍ以上となる透過スペクトルを有している。このようにすれば、赤色着色部２９Ｒに係る透過スペクトルに、赤色蛍光体の発光スペクトルのメインピーク、第１サブピーク、及び第２サブピークがそれぞれ全域にわたって含まれているから、ＬＥＤ１７から発せられた高い色純度の赤色光が、赤色着色部２９Ｒを効率的に透過する。これにより、ＬＥＤ１７からの赤色光に係る利用効率をより高く保つことができるとともに、液晶パネル１１の出射光に係る色度領域における赤色の色域が広くなって色再現性により優れる。
【００８１】
また、緑色蛍光体は、ピーク波長が５２０ｎｍ〜５４０ｎｍの範囲となるピークを含む発光スペクトルを有する。このようにすれば、緑色蛍光体の発光スペクトルのピーク波長が上記した数値範囲の下限値（５２０ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。さらには、緑色蛍光体の発光スペクトルのピーク波長が上記した数値範囲の上限値（５４０ｎｍ）以下とされることで、それよりも長波長側にした場合に比べると、色相が黄色寄りにずれることが避けられる。
【００８２】
また、緑色着色部２９Ｇは、ピーク波長が５１０ｎｍ〜５５０ｎｍの範囲となるピークを含み且つその半値幅が１１０ｎｍ未満とされる透過スペクトルを有している。このようにすれば、緑色着色部２９Ｇに係る透過スペクトルに、緑色蛍光体の発光スペクトルのピークが全域にわたって含まれているから、ＬＥＤ１７から発せられた高い色純度の緑色光が、緑色着色部２９Ｇを効率的に透過する。これにより、ＬＥＤ１７からの緑色光に係る利用効率をより高く保つことができるとともに、液晶パネル１１の出射光に係る色度領域における緑色の色域が広くなって色再現性により優れる。
【００８３】
また、黄色着色部２９Ｙは、ピークの半値となる波長が４８０ｎｍ〜５８０ｎｍの範囲となる透過スペクトルを有している。このようにすれば、黄色着色部２９Ｙに係る透過スペクトルに、緑色蛍光体の発光スペクトルのピークが全域にわたって含まれるとともに赤色蛍光体の発光スペクトルのメインピーク、第１サブピーク、及び第２サブピークがそれぞれ全域にわたって含まれているから、ＬＥＤ１７から発せられた高い色純度の緑色光と赤色光とが、黄色着色部２９Ｙを効率的に透過する。これにより、ＬＥＤ１７からの緑色光及び赤色光に係る利用効率をより高く保つことができるとともに、液晶パネル１１の出射光に係る色度領域における黄色の色域が広くなって色再現性により優れる。
【００８４】
また、緑色蛍光体には、サイアロン系蛍光体が含有されている。サイアロン系蛍光体は、酸窒化物蛍光体であるから、例えば硫化物や酸化物からなる蛍光体を用いた場合に比べて、発光効率に優れるとともに耐久性に優れたものとなる。その上、サイアロン系蛍光体は、発光スペクトルに含まれるピークの半値幅が十分に狭くなっているので、色純度の高い緑色光を発光することができる。しかも、サイアロン系蛍光体は、発光スペクトルに含まれるピークのピーク波長及び半値幅に関して、多くの種類の材料が存在するので、その中から選択すれば、低コストでもって適切な発光スペクトルを有した緑色蛍光体を調達することができる。
【００８５】
また、青色ＬＥＤ素子４０は、ピーク波長が４３０ｎｍ〜４６０ｎｍの範囲となるピークを含む発光スペクトルを有している。このようにすれば、青色ＬＥＤ素子４０から発せられる青色光は、発光スペクトルのピークにおける半値幅が十分に狭くて色純度が高く且つ輝度が十分に高いものとされるから、緑色蛍光体及び赤色蛍光体を効率的に励起して緑色光及び赤色光を発光させることができるとともに、ＬＥＤ１７からの青色光に係る色純度が高いものとなる。
【００８６】
また、青色着色部２９Ｂは、ピーク波長が４４０ｎｍ〜４８０ｎｍの範囲となるピークを含み且つその半値幅が１２０ｎｍ未満とされる透過スペクトルを有している。このようにすれば、青色着色部２９Ｂに係る透過スペクトルに、青色ＬＥＤ素子４０の発光スペクトルのピークが全域にわたって含まれているから、ＬＥＤ１７から発せられた高い色純度の青色光が、青色着色部２９Ｂを効率的に透過する。これにより、ＬＥＤ１７からの青色光に係る利用効率をより高く保つことができるとともに、液晶パネル１１の出射光に係る色度領域における青色の色域が広くなって色再現性により優れる。
【００８７】
また、バックライト装置１２は、ＬＥＤ１７と対向する形で配されてＬＥＤ１７からの光が入射される光入射面１９ｂが端面に有されるとともに、液晶パネル１１の板面と対向する形で配されて液晶パネル１１に向けて光を出射する光出射面１９ａが板面に有される導光板１９を備えている。このようにすれば、ＬＥＤ１７から発せられた光は、導光板１９の端面に有される光入射面１９ｂに入射してから導光板１９内を伝播して拡散された後、導光板１９の板面に有される光出射面１９ａから面状の光として出射されて液晶パネル１１へと照射される。このようなエッジライト型のバックライト装置１２によれば、直下型に比べると、複数のＬＥＤ１７を使用する場合にはＬＥＤ１７の設置数を削減しつつ出射光に係る輝度均一性を十分に高くすることができる。
【００８８】
また、本実施形態に係るテレビ受信装置１０ＴＶは、上記した液晶表示装置１０と、テレビ信号を受信可能なチューナー（受信部）１０Ｔとを備える。このようなテレビ受信装置１０ＴＶによれば、高輝度で且つ色再現性に優れたテレビ画像を表示することができる。
【００８９】
＜実施形態２＞
本発明の実施形態２を図１７から図２７によって説明する。この実施形態２では、ＬＥＤの緑色蛍光体を変更したものを示す。なお、上記した実施形態１と同様の構造、作用及び効果について重複する説明は省略する。
【００９０】
本実施形態に係るＬＥＤは、緑色蛍光体としてβ−ＳｉＡｌＯＮを１種類のみ含む構成とされる。ここで用いられるβ−ＳｉＡｌＯＮは、ピークのピーク波長が５３３ｎｍ程度とされる発光スペクトルを有するものとされる。また、ＬＥＤに備えられる青色ＬＥＤ素子は、ピークのピーク波長が４４５ｎｍ程度とされる発光スペクトルを有するものとされる。次に、上記のような構成のＬＥＤを用いた液晶表示装置において、青色着色部及び赤色着色部の面積比率を変更したときに、出射光の輝度比及び「log(L)+f」比がどのように変化するか、に関して知見を得るため、下記の比較実験２を行った。
【００９１】
比較実験２では、上記した実施形態１の比較実験１の比較例１と同じ蛍光体を用いるものの、青色ＬＥＤ素子の発光スペクトルにおけるピーク波長を４４５ｎｍに変更した比較例３と、本段落以前に記載したＬＥＤ（ピーク波長が５３３ｎｍ程度とされる発光スペクトルを有するβ−ＳｉＡｌＯＮを緑色蛍光体としたＬＥＤ）を用いるとともに、青色着色部及び赤色着色部の面積比率を「１．０」とした比較例４と、本段落以前に記載したＬＥＤを用いるとともに、青色着色部及び赤色着色部の面積比率をそれぞれ「１．２，１．４，１．６，１．８，２．０」とした実施例２〜６と、を用いている。比較例４では、４色の各着色部における面積比率が互いに等しくなっている。青色着色部及び赤色着色部の面積比率を「１．２」とした実施例２は、上記した実施形態１の比較実験１に記載した実施例１とは、緑色蛍光体及び青色ＬＥＤ素子の各発光スペクトルにおけるピーク波長が異なるものとされる。青色着色部及び赤色着色部の面積比率を「１．４」とした実施例３において、表示画素の全体の面積を「１００％（基準）」としたとき、赤色着色部及び青色着色部の面積は、それぞれ「約２９％」とされ、緑色着色部と黄色着色部の面積は、それぞれ「約２１％」とされる。青色着色部及び赤色着色部の面積比率を「１．８」とした実施例５において、表示画素の全体の面積を「１００％（基準）」としたとき、赤色着色部及び青色着色部の面積は、それぞれ「約３２％」とされ、緑色着色部と黄色着色部の面積は、それぞれ「約１８％」とされる。青色着色部及び赤色着色部の面積比率を「２．０」とした実施例３において、表示画素の全体の面積を「１００％（基準）」としたとき、赤色着色部及び青色着色部の面積は、それぞれ「約３３％」とされ、緑色着色部と黄色着色部の面積は、それぞれ「約１７％」とされる。また、比較例３，４及び実施例２〜６では、蛍光体の含有量比が互いに異なるとともに、赤色蛍光体及び緑色蛍光体の各配合比率が互いに異なるものとされ、それによりＬＥＤの光学特性（色度や輝度など）が互いに異なるものとされる。なお、図１７及び図１８に示される「蛍光体の含有量比」の欄には、比較例３に係るＬＥＤにおける蛍光体の含有量を基準（１００％）とした相対値が記載されている。また、赤色蛍光体の配合比率は、図１７及び図１８に示される「緑色蛍光体の配合比率」の欄の数値を１００％から差し引くことで得られる。以上の点を除いては、実施形態１の比較実験１と同様である。
【００９２】
そして、この比較実験２では、上記した構成の実施例２〜６及び比較例３，４に係る各液晶表示装置において、ＬＥＤの色度と、液晶パネルからの各色（白色、青色、緑色、赤色、及び黄色）の出射光の色度と、各色の出射光の輝度と、カラーフィルタの透過率と、をそれぞれ測定するとともに、出射光に係る色度領域のＮＴＳＣ比、ＢＴ．７０９比、ＤＣＩ比、及びＢＴ．２０２０比と、各色の出射光の輝度比と、ヘルムホルツ−コールラウシュ効果を考慮した各色の出射光の明るさの比率（「log(L)+f」比）と、ＬＥＤの輝度比と、カラーフィルタの透過率比と、をそれぞれ算出しており、その結果を図１７から図２７に示す。図１７及び図１８には、比較実験２の実験結果の一覧（出射光の輝度比、「log(L)+f」比、ＬＥＤの輝度比、及びカラーフィルタの透過率比を除く）が記載されている。なお、図１７及び図１８では、赤色蛍光体のピーク波長として、メインピークのピーク波長（６３０ｎｍ）のみを代表して記載している。図１９及び図２０は、各規格に係る色度領域と、実施例２〜６及び比較例３，４に係る液晶表示装置の液晶パネルからの出射光の色度領域と、を表している。そして、図２１及び図２２には、カラーフィルタの透過率比と、ＬＥＤの輝度比と、比較例３の出射光を基準とした各色の出射光の輝度比と、白色の出射光を基準とした各色の出射光の輝度比と、白色の出射光を基準とした各色の出射光の「log(L)+f」比と、比較例３の出射光を基準とした各色の出射光の「log(L)+f」比と、を記載している。さらには、図２３から図２７には、図２１及び図２２に記載された数値をグラフ化して表している。図２３から図２７において、横軸は、それぞれ青色着色部及び赤色着色部の面積比率を表している。図２３では、縦軸は、出射光及びＬＥＤの輝度比（単位：％）またはカラーフィルタの透過率比（単位：％）を表している。図２４及び図２５では、縦軸は、出射光の輝度比（単位：％）を表している。図２６及び図２７では、縦軸は、出射光の「log(L)+f」比（単位：％）を表している。
【００９３】
上記したＮＴＳＣ比、ＢＴ．７０９比、ＤＣＩ比、及びＢＴ．２０２０比と、白色の出射光を基準とした各色の出射光の輝度比と、白色の出射光を基準とした各色の出射光の「log(L)+f」比と、における算出方法は、上記した実施形態１の比較実験１に記載した通りである。ＬＥＤの輝度比は、測定によって得られたＬＥＤの輝度値（ＬＥＤの色度のＹ値）を用い、比較例３に係るＬＥＤの輝度値を基準（１００％）として算出した相対値となっている（単位：「％」）。カラーフィルタの透過率比は、測定によって得られたカラーフィルタの透過率の値を用い、比較例３に係るカラーフィルタの透過率の値を基準（１００％）として算出した相対値となっている（単位：「％」）。比較例３の出射光を基準とした各色の出射光の輝度比は、測定によって得られた各色の出射光の輝度値（各色表示時における出射光の色度のＹ値）を用い、比較例３の各色の出射光を基準（１００％）として算出した相対値となっている（単位：「％」）。比較例３の出射光を基準とした各色の出射光の「log(L)+f」比は、測定によって得られた各色の出射光の輝度値及び色度座標値に基づいて算出された「log(L)+f」値を用い、比較例３の各色の出射光を基準（１００％）として算出した相対値となっている（単位：「％」）。
【００９４】
続いて、比較実験２の実験結果について説明する。まず、カラーフィルタの透過率比は、図２１から図２３に示すように、青色着色部及び赤色着色部の面積比率が大きくなるほど低下する傾向とされる。これは、青色着色部及び赤色着色部の透過率が緑色着色部及び黄色着色部の透過率よりも低いため、と考えられる。一方、ＬＥＤの輝度比は、青色着色部及び赤色着色部の面積比率が大きくなるほど向上する傾向にある。これは、青色着色部及び赤色着色部の面積比率が大きくなれば、ＬＥＤの青色光の発光強度が低くても青色光の透過光量が十分に確保されることから、上記面積比率に比例する形で蛍光体の含有量（図１７及び図１８の蛍光体の含有量比の欄を参照）を多くした結果と考えられる。特に、青色着色部及び赤色着色部の面積比率が大きくなると、緑色着色部及び黄色着色部の面積比率が小さくなることから、蛍光体の含有量を増しつつ緑色蛍光体の配合比率（図１７及び図１８の緑色蛍光体の配合比率の欄を参照）を高めるようにしている。また、比較例３を基準とした白色の出射光の輝度比に関しては、実施例２，３にてピーク値（１０４％）となるものの、それよりも青色着色部及び赤色着色部の面積比率が大きくなると低下している。これは、青色着色部及び赤色着色部の面積比率が大きくなれば、緑色着色部及び黄色着色部の面積比率が小さくなり、視感度のピークである５５５ｎｍに近い波長の緑色光及び黄色光の透過光量が減少することに因るものと考えられる。
【００９５】
次に、比較例３を基準とした白色以外の各色（青色、緑色、赤色、及び黄色）の出射光の輝度比については、図２１，図２２及び図２４に示すように、青色着色部及び赤色着色部の面積比率が大きくなるほど、青色及び赤色に係る輝度比が増加し、緑色及び黄色に係る輝度比が減少する傾向とされる。この青色及び赤色に係る輝度比の増加率は、緑色及び黄色に係る輝度比の減少率よりも大きくなっている。これは、上記したように青色着色部及び赤色着色部の面積比率が大きくなるほど、蛍光体の含有量を増しつつ緑色蛍光体の配合比率が高められていることから、ＬＥＤから供給される緑色光の光量が増し、それにより緑色及び黄色に係る輝度比の減少率が小さく抑制されている、と考えられる。続いて、白色の出射光を基準とした各色の出射光の輝度比については、図２１，図２２及び図２５に示すように、青色及び赤色に係る輝度比の増加率と、緑色及び黄色に係る輝度比の減少率と、の差が、上記した比較例３を基準とした各色の出射光の輝度比における同差（図２４を参照）よりも小さくなっている。これは、各色に係る輝度比の基準を白色に係る輝度比としたため、各色に係る輝度比の変化率が平準化された結果である。
【００９６】
白色の出射光を基準とした各色の出射光の「log(L)+f」比については、図２１，図２２及び図２６に示すように、青色及び赤色に係る「log(L)+f」比の増加率が、緑色及び黄色に係る「log(L)+f」比の減少率よりも大きくなっている。この青色及び赤色に係る「log(L)+f」比の増加率は、上記した白色の出射光を基準とした青色及び赤色の出射光の輝度比の増加率（図２５を参照）よりも大きなものとされる。「log(L)+f」は、ヘルムホルツ−コールラウシュ効果を考慮した出射光の明るさであることから、青色着色部及び赤色着色部の面積比率の増加に伴って、青色及び赤色の出射光におけるヘルムホルツ−コールラウシュ効果を考慮した明るさが増加する比率（増加率）は、青色着色部及び赤色着色部の面積比率の増加に伴う青色及び赤色の出射光の輝度比の増加率よりも大きくなっていることになる。つまり、青色着色部及び赤色着色部の面積比率を増加させたときに得られる青色及び赤色の出射光の輝度向上効果よりも、青色及び赤色の出射光の明るさ（Brightness）の向上効果の方が高くなっている、と言える。
【００９７】
そして、比較例３を基準とした赤色の出射光の「log(L)+f」比については、図２１，図２２及び図２７に示すように、比較例３が９０％とされるものの、実施例２〜６がいずれも９５％以上とされる。この９５％という数値は、現実的な許容下限値であり、これを下回ると、赤色の出射光の明るさが不十分となって表示画像に係る表示品位が著しく低下してしまう。実施例２〜６は、いずれも上記許容下限値を上回る「log(L)+f」比とされていることから、赤色の出射光の明るさが十分に担保されている、と言える。実施例２〜６を比べると、青色着色部及び赤色着色部の面積比率が大きくなるほど、「log(L)+f」比の数値も増加する傾向とされる。ここで、青色着色部及び赤色着色部の面積比率を大きくすれば、緑色着色部及び黄色着色部の面積比率が小さくなることから、両者の面積比率の差が大きくなり過ぎると、緑色着色部及び黄色着色部の面積を十分に確保できず、それに起因して液晶パネルの高精細化に伴う表示画素の面積の縮小に対応できなくなることが懸念される。このような問題を勘案すると、実施例２，３のように、青色着色部及び赤色着色部の面積比率を「１．２」または「１．４」とすれば、赤色の出射光の「log(L)+f」比を十分に高く保ちつつ、液晶パネルの高精細化を容易に図ることができるものとされる。実施例２，３の比較においては、液晶パネルの高精細化を優先させるのであれば、実施例２が好ましく、逆に赤色の出射光の「log(L)+f」比の向上を優先させるのであれば、実施例３が好ましい。なお、上記した実施形態１においても説明したが、緑色着色部及び黄色着色部の面積を十分に確保できれば、液晶パネルの高精細化に伴って表示画素の面積が小さくなった場合でも、最も面積が小さくなる緑色画素及び黄色画素において容量配線などの配線を容易に通すことができるとともに、画素面積に対する配線面積の比率がそれほど大きくならないから、透過率の低下及び光漏れ（コントラスト低下）の発生が抑制される。これにより、高精細化された液晶パネルの製造が容易になるとともに表示される表示画像に係る表示品位が高く保たれる。
【００９８】
また、青色着色部及び赤色着色部の面積比率が共に「１．６」とされた比較例３及び実施例４を比較すると、図２１及び図２２に示すように、実施例４の方が比較例３よりも赤色の出射光の「log(L)+f」比が高くなっている。これは、実施例４では、ＬＥＤの赤色蛍光体としてピークの半値幅が狭い発光スペクトルを有するケイフッ化カリウムを用いているので、その赤色蛍光体から発光される赤色光の色純度が極めて高くなっており、それによりヘルムホルツ−コールラウシュ効果を考慮した出射光の明るさの比率である「log(L)+f」比が高い値となったものと考えられる。また、実施例３及び比較例３を比較すると、赤色の出射光の「log(L)+f」比が同等とされている。これは、実施例３に係るＬＥＤの赤色蛍光体（ケイフッ化カリウム）による赤色光の明るさ向上と、青色着色部及び赤色着色部の面積比率の増加に伴う赤色光の明るさ低下と、が相殺された結果と考えられる。つまり、ＬＥＤの赤色蛍光体としてケイフッ化カリウムを用いれば、青色着色部及び赤色着色部の面積比率を「０．２」程度小さくしても、同等の赤色光の明るさが得られる、と言える。
【００９９】
以上説明したように本実施形態によれば、青色着色部及び赤色着色部は、緑色着色部及び黄色着色部に対する面積比率が１．４とされる。このようにすれば、上記面積比率を仮に１．４を下回る数値とした場合（例えば１．２とした場合）に比べると、赤色光の明るさを一層高いものとすることができる。また、上記面積比率を仮に１．４を超える数値とした場合に比べると、高精細化により好適とされる。
【０１００】
＜実施形態３＞
本発明の実施形態３を図２８から図３１によって説明する。この実施形態３では、上記した実施形態１からバックライト装置２１２を直下型に変更したものを示す。なお、上記した実施形態１と同様の構造、作用及び効果について重複する説明は省略する。
【０１０１】
本実施形態に係る液晶表示装置２１０は、図２８に示すように、液晶パネル２１１と、直下型のバックライト装置２１２とをベゼル２１３などにより一体化した構成とされる。なお、液晶パネル２１１の構成は、上記した実施形態１と同様であるから、重複する説明は省略する。以下、直下型のバックライト装置２１２の構成について説明する。
【０１０２】
バックライト装置２１２は、図２９に示すように、光出射側（液晶パネル２１１側）に開口部を有した略箱型をなすシャーシ２１４と、シャーシ２１４の開口部を覆うようにして配される光学部材２１５と、シャーシ２１４の外縁部に沿って配され光学部材２１５の外縁部をシャーシ２１４との間で挟んで保持するフレーム２１６と、を備える。さらに、シャーシ２１４内には、光学部材２１５（液晶パネル２１１）の直下となる位置に対向状に配されるＬＥＤ２１７と、ＬＥＤ２１７が実装されたＬＥＤ基板２１８と、が備えられる。その上、シャーシ２１４内には、シャーシ２１４内の光を光学部材２１５側に反射させる反射シート５０が備えられる。このように本実施形態に係るバックライト装置２１２は、直下型であるから、実施形態１にて示したエッジライト型のバックライト装置１２で用いていた導光板１９が備えられていない。また、フレーム２１６の構成については、実施形態１とはフレーム側反射シート１６Ｒを有していない点以外は同様であるため、説明を省略する。続いて、バックライト装置２１２の各構成部品について詳しく説明する。
【０１０３】
シャーシ２１４は、金属製とされ、図２９から図３１に示すように、液晶パネル２１１と同様に横長な方形状をなす底板２１４ａと、底板２１４ａの各辺の外端からそれぞれ表側（光出射側）に向けて立ち上がる側板２１４ｂと、各側板２１４ｂの立ち上がり端から外向きに張り出す受け板５１と、からなり、全体としては表側に向けて開口した浅い略箱型をなしている。シャーシ２１４は、その長辺方向がＸ軸方向（水平方向）と一致し、短辺方向がＹ軸方向（鉛直方向）と一致している。シャーシ２１４における各受け板５１には、表側からフレーム２１６及び次述する光学部材２１５が載置可能とされる。各受け板５１には、フレーム２１６がねじ止めされている。
【０１０４】
次に、ＬＥＤ２１７が実装されるＬＥＤ基板２１８について説明する。ＬＥＤ基板２１８は、図２９から図３１に示すように、平面に視て横長の方形状（短冊状）をなす基材を有しており、長辺方向がＸ軸方向と一致し、短辺方向がＹ軸方向と一致する状態でシャーシ２１４内において底板２１４ａに沿って延在しつつ収容されている。ＬＥＤ基板２１８は、シャーシ２１４内においてＸ軸方向（行方向）に２枚ずつ、Ｙ軸方向（列方向）に９枚ずつ、合計１８枚がマトリクス状（行列状）に並列して配置されている。このＬＥＤ基板２１８の基材の板面のうち、表側を向いた面（光学部材２１５側を向いた面）には、ＬＥＤ２１７が表面実装されており、ここが実装面２１８ａとされる。また、ＬＥＤ基板２１８は、図示しない基板保持部材によってシャーシ２１４の底板２１４ａに対して保持されている。
【０１０５】
ＬＥＤ２１７は、図２９に示すように、ＬＥＤ基板２１８の実装面２１８ａ上において長辺方向（Ｘ軸方向）に沿って複数が一列に間欠的に並んで配されている。ＬＥＤ２１７は、上記したようにシャーシ２１４の底板２１４ａに沿ってマトリクス状に複数枚ずつ並んで配されるＬＥＤ基板２１８のそれぞれに複数ずつ設けられているので、全体としてシャーシ２１４内においてＸ軸方向及びＹ軸方向に沿って複数ずつマトリクス状に平面配置されている。各ＬＥＤ基板２１８に実装されたＬＥＤ２１７は、その発光面２１７ａが光学部材２１５及び液晶パネル２１１と対向状をなすとともに、その光軸がＺ軸方向、つまり液晶パネル２１１の表示面と直交する方向と一致している。
【０１０６】
反射シート５０は、図２９から図３１に示すように、シャーシ２１４の内面をほぼ全域にわたって覆う大きさ、つまり底板２１４ａに沿って平面配置された全ＬＥＤ基板２１８を一括して覆う大きさを有している。この反射シート５０によりシャーシ２１４内の光を光学部材２１５側に向けて反射させることができるようになっている。反射シート５０は、シャーシ２１４の底板２１４ａに沿って延在するとともに底板２１４ａの大部分を覆う大きさの底部５０ａと、底部５０ａの各外端から表側に立ち上がるとともに底部５０ａに対して傾斜状をなす４つの立ち上がり部５０ｂと、各立ち上がり部５０ｂの外端から外向きに延出するとともにシャーシ２１４の受け板５１に載せられる延出部５０ｃとから構成されている。この反射シート５０の底部５０ａが各ＬＥＤ基板２１８における表側の面、つまりＬＥＤ２１７の実装面２１８ａに対して表側に重なるよう配される。
【０１０７】
以上説明したように本実施形態によれば、ＬＥＤ２１７は、光を発する発光面２１７ａを有するとともにその発光面２１７ａが液晶パネル２１１の板面に対して対向する形となるよう配されている。このようにすれば、ＬＥＤ２１７の発光面２１７ａから発せられた光は、発光面２１７ａに対して対向する形となるよう配される液晶パネル２１１の板面に向けて照射される。このような直下型のバックライト装置２１２によれば、ＬＥＤ２１７からの光がエッジライト型で用いられる導光板などの部材を介することなく、液晶パネル２１１に供給されるから、光の利用効率に一層優れる。
【０１０８】
＜実施形態４＞
本発明の実施形態４を図３２から図３５によって説明する。この実施形態４では、上記した実施形態３において、ＬＥＤ基板３１８に拡散レンズ５２を取り付けるなどしたものを示す。なお、上記した実施形態３と同様の構造、作用及び効果について重複する説明は省略する。
【０１０９】
本実施形態に係る液晶表示装置３１０に備えられるバックライト装置３１２は、図３２に示すように、ＬＥＤ基板３１８においてＬＥＤ３１７に対応した位置に取り付けられる拡散レンズ５２と、ＬＥＤ基板３１８をシャーシ３１４に対して取付状態に保持するための基板保持部材５３と、を備えている。
【０１１０】
拡散レンズ５２は、ほぼ透明で（高い透光性を有し）且つ屈折率が空気よりも高い合成樹脂材料（例えばポリカーボネートやアクリルなど）からなる。拡散レンズ５２は、図３３から図３５に示すように、所定の厚みを有するとともに、平面に視て略円形状に形成されており、ＬＥＤ基板３１８に対して各ＬＥＤ３１７を表側（光出射側）から個別に覆うよう、つまり平面に視て各ＬＥＤ３１７と重畳するようそれぞれ取り付けられている。そして、この拡散レンズ５２は、ＬＥＤ３１７から発せられた指向性の強い光を拡散させつつ出射させることができる。つまり、ＬＥＤ３１７から発せられた光は、拡散レンズ５２を介することにより指向性が緩和されるので、隣り合うＬＥＤ３１７間の間隔を広くとってもその間の領域が暗部として視認され難くなる。これにより、輝度ムラの発生を抑制しつつもＬＥＤ３１７の設置個数を少なくすることが可能となっている。この拡散レンズ５２は、平面に視てＬＥＤ３１７とほぼ同心となる位置に配されている。
【０１１１】
基板保持部材５３は、ポリカーボネートなどの合成樹脂製とされており、表面が光の反射性に優れた白色を呈する。基板保持部材５３は、図３４及び図３５に示すように、ＬＥＤ基板３１８の板面に沿う本体部と、本体部から裏側、つまりシャーシ３１４の底板３１４ａ側に向けて突出して底板３１４ａに固定される固定部とを備える。基板保持部材５３は、各ＬＥＤ基板３１８に対して複数ずつ取り付けられており、その配置がＬＥＤ３１７に対してＸ軸方向について隣り合うものとされる。なお、複数の基板保持部材５３には、本体部から表側に突出するとともに光学部材３１５を裏側から支持する支持部５３ａを有するものが含まれている。なお、反射シート３５０には、各拡散レンズ５２を通す孔と、各基板保持部材５３を通す孔とが対応する位置に開口して形成されている。
【０１１２】
＜他の実施形態＞
本発明は上記記述及び図面によって説明した実施形態に限定されるものではなく、例えば次のような実施形態も本発明の技術的範囲に含まれる。
（１）上記した各実施形態以外にも、青色着色部及び赤色着色部の具体的な面積比率を適宜に変更することが可能である。具体的には、青色着色部及び赤色着色部の面積比率における小数点を奇数（例えば１．１，１．３，１．５など）としたり、また青色着色部及び赤色着色部の面積比率を２．０以上としたりすることができる。
【０１１３】
（２）上記した各実施形態では、青色着色部及び赤色着色部の面積比率が互いに等しくなる構成のものを示したが、青色着色部と赤色着色部とで面積比率が異なる構成であってもよい。その場合、青色着色部を赤色着色部よりも大きな面積としたり、逆に赤色着色部を青色着色部よりも大きな面積としたりすることが可能である。なお、青色着色部の面積比率が緑色着色部及び黄色着色部の面積比率よりも大きく、且つ赤色着色部の面積比率が緑色着色部及び黄色着色部の面積比率よりも大きいことが求められる。
【０１１４】
（３）上記した各実施形態では、緑色着色部及び黄色着色部の面積比率が互いに等しくなる構成のものを示したが、緑色着色部と黄色着色部とで面積比率が異なる構成であってもよい。その場合、緑色着色部を黄色着色部よりも大きな面積としたり、逆に緑色着色部を黄色着色部よりも大きな面積としたりすることが可能である。なお、緑色着色部の面積比率が青色着色部及び赤色着色部の面積比率よりも小さく、且つ黄色着色部の面積比率が青色着色部及び赤色着色部の面積比率よりも小さいことが求められる。
【０１１５】
（４）上記した各実施形態では、ＬＥＤに備えられる赤色蛍光体として、ピーク波長が６３０ｎｍとなるメインピークを含み且つその半値幅が８ｎｍ程度とされるとともに、ピーク波長が６１３ｎｍとなる第１サブピークと、ピーク波長が６４７ｎｍとなる第２サブピークと、を含む発光スペクトルを有するものを例示したが、これ以外に、メインピークにおけるピーク波長の具体的な数値、メインピークの半値幅の具体的な数値、第１サブピークにおけるピーク波長の具体的な数値、第２サブピークにおけるピーク波長の具体的な数値などが多少異なる発光スペクトルを有する赤色蛍光体を用いることも可能である。つまり、上記したメインピークにおけるピーク波長、メインピークの半値幅、第１サブピークにおけるピーク波長、及び第２サブピークにおけるピーク波長の具体的な数値は、赤色蛍光体の発光スペクトルの要件（ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトル）を満たす範囲で適宜に変更可能である。
【０１１６】
（５）上記した各実施形態では、ＬＥＤに備えられる赤色蛍光体として、複フッ化物蛍光体の一種であるマンガン付活のケイフッ化カリウム（Ｋ2ＴｉＦ6）を用いた場合を示したが、マンガン以外の付活剤を用いたケイフッ化カリウムを用いることも可能である。さらには、赤色蛍光体の発光スペクトルの要件（ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトル）を満たすのであれば、ケイフッ化カリウム以外の複フッ化物蛍光体を用いることも可能である。また、赤色蛍光体の発光スペクトルの要件を満たすのであれば、複フッ化物蛍光体以外の蛍光体を用いることも可能である。
【０１１７】
（６）上記（５）に記載した「ケイフッ化カリウム以外の複フッ化物蛍光体」の具体例としては、例えばケイフッ化カリウムの珪素（Ｓｉ）に代えて、チタン（Ｔｉ）、ジルコニウム（Ｚｒ）、ハフニウム（Ｈｆ）、ゲルマニウム（Ｇｅ）及び錫（Ｓｎ）の中のいずれかを用いた構成の複フッ化物蛍光体を挙げることができる。その他にも、ケイフッ化カリウムのカリウム（Ｋ）に代えて、リチウム（Ｌｉ）、ナトリウム（Ｎａ）、ルビジウム（Ｒｂ）及びセシウム（Ｃｓ）の中のいずれかを用いた複フッ化物蛍光体を挙げることができる。さらには、ケイフッ化カリウムの珪素に代えて、珪素、チタン、ジルコニウム、ハフニウム、ゲルマニウム及び錫の中から複数を選択して用いた複フッ化物蛍光体を挙げることができる。
【０１１８】
（７）上記した各実施形態では、ＬＥＤに備えられる赤色蛍光体として、メインピークに対して短波長側の第１サブピークが相対的に高くなるのに対し、メインピークに対して長波長側の第２サブピークが相対的に低くなる発光スペクトルを有するものを用いた場合を示したが、第１サブピークと第２サブピークとの高さ関係が逆転した発光スペクトルを有する赤色蛍光体を用いることも可能である。
【０１１９】
（８）上記した各実施形態では、ＬＥＤに備えられる赤色蛍光体を１種類のみ用いた場合を示したが、複数種類の赤色蛍光体を併用することも可能である。その場合、複数種類の赤色蛍光体は、互いにピーク波長が異なるメインピークを含む発光スペクトルや、ピーク波長が異なる第１サブピークを含む発光スペクトルや、ピーク波長が異なる第２サブピークを含む発光スペクトルや、半値幅が異なるメインピークを含む発光スペクトルを有する構成とされるのが好ましい。
【０１２０】
（９）上記した各実施形態では、ＬＥＤに備えられる緑色蛍光体として、ピーク波長が５４０ｎｍとなるピークを含む発光スペクトルのβ−ＳｉＡｌＯＮ、ピーク波長が５３３ｎｍとなるピークを含む発光スペクトルのβ−ＳｉＡｌＯＮ、及びピーク波長が５２２ｎｍとなるピークを含む発光スペクトルのＢＯＳＥを例示したが、これ以外に、ピークにおけるピーク波長の具体的な数値が多少異なる発光スペクトルを有する緑色蛍光体を用いることも可能である。同様に、緑色蛍光体の発光スペクトルにおけるピークの半値幅についても適宜に変更することが可能である。つまり、上記したピークにおけるピーク波長の具体的な数値は、緑色蛍光体の発光スペクトルの要件（ピーク波長が５２０ｎｍ〜５４０ｎｍの範囲となるピークを含む発光スペクトル）を満たす範囲で適宜に変更可能である。
【０１２１】
（１０）上記した各実施形態では、ＬＥＤに備えられる緑色蛍光体として、酸窒化物蛍光体であり且つサイアロン系蛍光体の一種であるユーロピウム付活のβ−ＳｉＡｌＯＮを用いた場合を示したが、ユーロピウム以外の付活剤（例えばＴｂ，Ｙ，Ｃｅなどの希土類元素やＡｇなど）を用いたβ−ＳｉＡｌＯＮを用いることも可能である。さらには、緑色蛍光体の発光スペクトルの要件（ピーク波長が５２０ｎｍ〜５４０ｎｍの範囲となるピークを含む発光スペクトル）を満たすのであれば、β−ＳｉＡｌＯＮ以外のサイアロン系蛍光体を用いることも可能である。また、緑色蛍光体の発光スペクトルの要件を満たすのであれば、サイアロン系蛍光体以外の酸窒化物蛍光体を用いることも可能である。
【０１２２】
（１１）上記した各実施形態では、ＬＥＤに備えられる緑色蛍光体として、ＢＯＳＥ系蛍光体の一種であるユーロピウム付活のＢＯＳＥを用いた場合を示したが、ユーロピウム以外の付活剤（例えばＴｂ，Ｙ，Ｃｅなどの希土類元素やＡｇなど）を用いたＢＯＳＥを用いることも可能である。さらには、緑色蛍光体の発光スペクトルの要件（ピーク波長が５２０ｎｍ〜５４０ｎｍの範囲となるピークを含む発光スペクトル）を満たすのであれば、ＢＯＳＥ以外のＢＯＳＥ系蛍光体を用いることも可能である。
【０１２３】
（１２）上記した各実施形態では、ＬＥＤが緑色蛍光体及び赤色蛍光体を備える構成のものを示したが、緑色蛍光体及び赤色蛍光体に加えて黄色光を発光する黄色蛍光体を備えたＬＥＤについても本発明は適用可能である。黄色蛍光体の一例としては、例えば、サイアロン系蛍光体の一種であるα−ＳｉＡｌＯＮを用いることが可能である。
【０１２４】
（１３）上記した各実施形態では、ＬＥＤに備えられる青色ＬＥＤ素子として、ピーク波長が４４３ｎｍまたは４４５ｎｍとなるピークを含み且つその半値幅が２４ｎｍ程度とされる発光スペクトルを有するものを例示したが、これ以外に、ピークにおけるピーク波長の具体的な数値、ピークの半値幅の具体的な数値などが多少異なる発光スペクトルを有する青色ＬＥＤ素子を用いることも可能である。つまり、上記したピークにおけるピーク波長やピークの半値幅の具体的な数値は、青色ＬＥＤ素子の発光スペクトルの要件（ピーク波長が４３０ｎｍ〜４６０ｎｍの範囲となるピークを含む発光スペクトル）を満たす範囲で適宜に変更可能である。
【０１２５】
（１４）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１２６】
（１５）上記した各実施形態では、頂面発光型のＬＥＤを用いた場合を例示したが、ＬＥＤ基板の実装面に対して隣接する側面が発光面となる側面発光型のＬＥＤを用いることも可能である。
【０１２７】
（１６）上記した各実施形態以外にも、ＬＥＤにおける機械的な構造（ケースの形状やリードフレームの形状など）は適宜に変更可能である。
【０１２８】
（１７）上記した各実施形態では、カラーフィルタに備えられる緑色着色部として、ピーク波長が５３０ｎｍとなるピークを含み且つその半値幅が１００ｎｍ程度となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５５０ｎｍの範囲となるピークを含み且つその半値幅が１１０ｎｍ未満とされる透過スペクトル）を満たす範囲で適宜に変更可能である。
【０１２９】
（１８）上記した各実施形態では、カラーフィルタに備えられる赤色着色部として、ピークの半値となる波長が５８６ｎｍ〜５８７ｎｍの範囲となる透過スペクトルを有するものを例示したが、これ以外に、ピークの半値となる波長の具体的な数値が多少異なる発光スペクトルを有する赤色着色部を用いることも可能である。つまり、上記したピークにおける立ち上がり位置の具体的な数値は、赤色着色部の透過スペクトルの要件（ピークの半値となる波長が５８０ｎｍ以上とされる透過スペクトル）を満たす範囲で適宜に変更可能である。
【０１３０】
（１９）上記した各実施形態では、カラーフィルタに備えられる青色着色部として、ピーク波長が４６０ｎｍとなるピークを含み且つその半値幅が１１２ｎｍ程度となる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４８０ｎｍの範囲となるピークを含み且つその半値幅が１２０ｎｍ未満とされる透過スペクトル）を満たす範囲で適宜に変更可能である。
【０１３１】
（２０）上記した各実施形態では、カラーフィルタに備えられる黄色着色部として、ピークの半値となる波長が４９９ｎｍとなる透過スペクトルを有するものを例示したが、これ以外に、ピークの半値となる波長の具体的な数値が多少異なる発光スペクトルを有する黄色着色部を用いることも可能である。つまり、上記したピークにおける立ち上がり位置の具体的な数値は、黄色着色部の透過スペクトルの要件（ピークの半値となる波長が４８０ｎｍ〜５８０ｎｍの範囲とされる透過スペクトル）を満たす範囲で適宜に変更可能である。
【０１３２】
（２１）上記した各実施形態以外にも、カラーフィルタを構成する各着色部の並び順などについて適宜に変更可能である。
【０１３３】
（２２）上記した各実施形態では、赤色着色部、緑色着色部及び青色着色部に黄色着色部を加えた構成のカラーフィルタを例示したが、例えばシアン色の光を選択的に透過するシアン色着色部を追加することも可能である。その場合、カラーフィルタが５色となる。また、シアン色以外の色を呈する着色部を追加することも可能である。さらには、波長選択性を有さない無着色部を追加することも可能である。なお、カラーフィルタを５色以上にすることも可能である。
【０１３４】
（２３）上記した各実施形態において、カラーフィルタを構成する各着色部に所定の顔料または染料を含有させることで、各色を呈するよう製造することが可能である。
【０１３５】
（２４）上記した実施形態１では、エッジライト型のバックライト装置において、ＬＥＤ基板（ＬＥＤ）がシャーシ（導光板）における両長辺側の端部に一対配されるものを示したが、例えばＬＥＤ基板（ＬＥＤ）がシャーシ（導光板）における両短辺側の端部に一対配されるものも本発明に含まれる。
【０１３６】
（２５）上記した（２４）以外にも、ＬＥＤ基板（ＬＥＤ）をシャーシ（導光板）における両長辺及び両短辺の各端部に対して一対ずつ配したものや、逆にＬＥＤ基板（ＬＥＤ）をシャーシ（導光板）における一方の長辺または一方の短辺の端部に対してのみ１つ配したものも本発明に含まれる。
【０１３７】
（２６）上記した実施形態３，４に記載した構成を、実施形態２に記載した構成に組み合わせることも勿論可能である。
【０１３８】
（２７）上記した実施形態３に記載した直下型のバックライト装置において、ＬＥＤ基板におけるＬＥＤの設置数や配列ピッチ、シャーシにおけるＬＥＤ基板の設置数、ＬＥＤ基板の大きさなどは適宜に変更可能である。
【０１３９】
（２８）上記した実施形態４では、直下型のバックライト装置において、全てのＬＥＤに対して個別に拡散レンズを取り付けるようにしたものを例示したが、一部のＬＥＤにのみ拡散レンズを取り付けるようにしても構わない。また、ＬＥＤ基板におけるＬＥＤの設置数や配列ピッチ、シャーシにおけるＬＥＤ基板の設置数、ＬＥＤ基板の大きさなどは適宜に変更可能である。
【０１４０】
（２９）上記した各実施形態では、光源としてＬＥＤを用いたものを示したが、有機ＥＬなどの他の光源を用いることも可能である。
【０１４１】
（３０）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１４２】
（３１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１４３】
（３２）上記した各実施形態では、表示パネルとして液晶パネルを用いた液晶表示装置を例示したが、他の種類の表示パネルを用いた表示装置にも本発明は適用可能である。
【０１４４】
（３３）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１４５】
１０，２１０，３１０…液晶表示装置（表示装置）、１０Ｔ…チューナー（受信部）、１０ＴＶ…テレビ受信装置、１１，２１１…液晶パネル（表示パネル）、１２，２１２，３１２…バックライト装置（照明装置）、１７，２１７，３１７…ＬＥＤ（光源）、１７ａ，２１７ａ…発光面、１９…導光板、１９ａ…光出射面、１９ｂ…光入射面、２９…カラーフィルタ、２９Ｂ…青色着色部、２９Ｇ…緑色着色部、２９Ｒ…赤色着色部、２９Ｙ…黄色着色部、４０…青色ＬＥＤ素子（青色発光素子）
【図１】
0005878580.tif 000002
【図２】
0005878580.tif 000003
【図３】
0005878580.tif 000004
【図４】
0005878580.tif 000005
【図５】
0005878580.tif 000006
【図６】
0005878580.tif 000007
【図７】
0005878580.tif 000008
【図８】
0005878580.tif 000009
【図９】
0005878580.tif 000010
【図１０】
0005878580.tif 000011
【図１１】
0005878580.tif 000012
【図１２】
0005878580.tif 000013
【図１３】
0005878580.tif 000014
【図１４】
0005878580.tif 000015
【図１５】
0005878580.tif 000016
【図１６】
0005878580.tif 000017
【図１７】
0005878580.tif 000018
【図１８】
0005878580.tif 000019
【図１９】
0005878580.tif 000020
【図２０】
0005878580.tif 000021
【図２１】
0005878580.tif 000022
【図２２】
0005878580.tif 000023
【図２３】
0005878580.tif 000024
【図２４】
0005878580.tif 000025
【図２５】
0005878580.tif 000026
【図２６】
0005878580.tif 000027
【図２７】
0005878580.tif 000028
【図２８】
0005878580.tif 000029
【図２９】
0005878580.tif 000030
【図３０】
0005878580.tif 000031
【図３１】
0005878580.tif 000032
【図３２】
0005878580.tif 000033
【図３３】
0005878580.tif 000034
【図３４】
0005878580.tif 000035
【図３５】
0005878580.tif 000036